(57)【特許請求の範囲】
【請求項１】
１つまたは複数のキャリア上で、第１の、ダウンリンク、送信を送信することと、
前記第１の送信に関連する第１のパラメータを決定することと、ここにおいて、前記第１のパラメータは、前記第１の、ダウンリンク、送信に対応する少なくとも１つの報告されない肯定応答を備える、
前記第１のパラメータに少なくとも部分的に基づいて、第１の競合ウィンドウ調整値を決定することと、
前記第１の競合ウィンドウ調整値に第１の重み付けファクタを適用することと、
前記重み付けされた第１の競合ウィンドウ調整値に少なくとも部分的に基づいて、第２の、アップリンク、送信のための競合ウィンドウサイズを調整することと、ここにおいて、前記競合ウィンドウサイズがアップリンク（ＵＬ）送信機会に対応し、
その競合ウィンドウサイズを調整するために、それぞれのユーザ機器に、少なくとも１つのユーザ機器へのダウンリンク送信において送信することと、
を備える、基地局において実行されるワイヤレス通信のための方法。
【請求項２】
前記第１のパラメータが、１つまたは複数の送信機会のためのハイブリッド自動再送要求（ＨＡＲＱ）フィードバックを備え、
前記第１の競合ウィンドウ調整値が、前記ＨＡＲＱフィードバック中の否定応答（ＮＡＣＫ）の数に少なくとも部分的に基づき、
前記第１の重み付けファクタが、前記ＨＡＲＱフィードバックが多重化モードにあるかどうかに少なくとも部分的に基づき、
前記多重化モードでの肯定応答（ＡＣＫ）またはＮＡＣＫの数を含む報告を受信することをさらに備え、ここにおいて、前記第１の重み付けファクタが、前記ＨＡＲＱフィードバック中のＮＡＣＫの前記数に少なくとも部分的に基づく、請求項１に記載の方法。
【請求項３】
報告されるＮＡＣＫの場合とは別様に、前記少なくとも１つの報告されない肯定応答について前記第１の競合ウィンドウ調整値に前記第１の重み付けファクタを適用することをさらに備える、または、
報告されるＮＡＣＫと同様にして、前記少なくとも１つの報告されない肯定応答について前記第１の競合ウィンドウ調整値に前記第１の重み付けファクタを適用することをさらに備える、請求項１に記載の方法。
【請求項４】
前記第１のパラメータを決定することは、物理アップリンク制御チャネル（ＰＵＣＣＨ）が正常に復号されたかどうかを決定することを備える、請求項１に記載の方法。
【請求項５】
前記競合ウィンドウサイズは、前記ＵＬ送信機会が、自己スケジュールされるのかクロスキャリアスケジュールされるのかに少なくとも部分的に基づいて調整される、請求項１に記載の方法。
【請求項６】
前記競合ウィンドウサイズが前記１つまたは複数のキャリアについて異なる、請求項１に記載の方法。
【請求項７】
各キャリアについてハイブリッド自動再送要求（ＨＡＲＱ）フィードバックを通して否定応答（ＮＡＣＫ）の数を受信することと、
すべてのキャリアについてＮＡＣＫの前記数に少なくとも部分的に基づいて前記第１の競合ウィンドウ調整値を決定することと、
すべてのキャリアについて前記第２の送信のための前記競合ウィンドウサイズを調整することと、ここにおいて、前記競合ウィンドウサイズがすべてのキャリアについて同じである、をさらに備える、請求項１に記載の方法。
【請求項８】
前記１つまたは複数のキャリアが、１次キャリアと１つまたは複数の２次キャリアとを備え、前記方法が、前記１次キャリアに関連するバックオフタイマーを開始することをさらに備え、ここにおいて、前記バックオフタイマーが前記１つまたは複数の２次キャリアに適用される、請求項１に記載の方法。
【請求項９】
前記１つまたは複数の２次キャリアが、前記１次キャリアに対して所定の周波数分離内にあり、ここにおいて、前記１つまたは複数の２次キャリアが、ライセンスされていない情報インフラストラクチャ無線帯域中にある、または、ここにおいて、２次キャリアの総数が、前記重み付けされた第２の競合ウィンドウ調整値に少なくとも部分的に基づいて調整された所定の数よりも少ない、請求項８に記載の方法。
【請求項１０】
前記第１の送信のキャリアとは異なるキャリア上で、送信におけるその競合ウィンドウサイズを調整するために前記ユーザ機器に送信することと、
前記競合ウィンドウサイズをリセットすることを控えることと、をさらに備える、請求項１に記載の方法。
【請求項１１】
前記第１の送信が１つまたは複数のＵＥに送られ、前記方法が、前記第１の送信の後の経過持続時間に少なくとも部分的に基づいて前記競合ウィンドウサイズをリセットすることをさらに備える、請求項１に記載の方法。
【請求項１２】
前記第１の送信に関連する前記第１のパラメータを決定することが、前記第１の送信に少なくとも部分的に基づいて、１つまたは複数のＵＥの各々から少なくとも１つの肯定応答（ＡＣＫ）インジケーションを受信することをさらに備える、請求項１に記載の方法。
【請求項１３】
前記第１の送信に少なくとも部分的に基づいて、肯定応答（ＡＣＫ）および否定応答（ＮＡＣＫ）インジケーションを受信することと、
前記第１の送信に関連する前記第１のパラメータを決定することと、ここにおいて、前記第１のパラメータが、サポートされるユーザ機器（ＵＥ）の総数に対するＡＣＫの割合を含む、をさらに備える、請求項１に記載の方法。
【請求項１４】
前記第１のパラメータに関連する、送信機会のサイズまたはリソース割振りに少なくとも部分的に基づいて、前記第１の競合ウィンドウ調整値に前記第１の重み付けファクタを適用すること、または、
前記第１のパラメータに関連するブロックエラーレート（ＢＬＥＲ）ターゲットに少なくとも部分的に基づいて、前記第１の競合ウィンドウ調整値に前記第１の重み付けファクタを適用することをさらに備える、請求項１に記載の方法。
【請求項１５】
ＵＥの数がしきい値よりも大きく、前記方法が、所定の割合のＵＥから少なくとも１つのＡＣＫインジケーションを受信することをさらに備える、請求項１に記載の方法。
【請求項１６】
前記第１の送信が１つまたは複数のＵＥに送られ、前記方法が、前記１つまたは複数のＵＥのための前記競合ウィンドウサイズに少なくとも部分的に基づいて、前記１つまたは複数のＵＥをＵＥの１つまたは複数のグループに分割することをさらに備え、
前記方法が、ＵＥの前記１つまたは複数のグループのためのカウンタをランダムに生成することと、
ＵＥの前記１つまたは複数のグループのための前記カウンタを開始することと、
ここにおいて、その競合ウィンドウサイズを調整するために前記それぞれのユーザ機器への前記送信は、カウンタが満了したＵＥのグループに、送信される、
をさらに備える、請求項１に記載の方法。
【請求項１７】
前記第１の競合ウィンドウ調整値に前記第１の重み付けファクタを適用することをさらに備え、ここにおいて、前記適用することは、
キャリアアグリゲーション構成、
多地点協調構成、
前記第１のパラメータがブロードキャストチャネルに対応するかどうか、または
前記第１のパラメータが干渉消去をインプリメントするまたはインプリメントすることが可能なユーザ機器（ＵＥ）に対応するかどうか、
に少なくとも部分的に基づく、請求項１に記載の方法。
【請求項１８】
ユーザ機器と基地局を備えたシステムにおけるワイヤレス通信のための方法であって、
前記方法は前記基地局において実行される請求項１乃至１７のいずれか一項に記載の方法およびユーザ機器において実行される方法を備え、前記ユーザ機器において実行される方法は
前記基地局にメッセージを送信することと、
前記基地局から、その競合ウィンドウサイズを調整するための前記ユーザ機器への送信を受信することと、ここにおいて、前記競合ウィンドウサイズ調整が、前記メッセージに少なくとも部分的に基づいて、第１の競合ウィンドウ調整値に適用される第１の重み付けファクタを使用して計算され、前記競合ウィンドウサイズがアップリンク（ＵＬ）送信機会に対応し、
前記競合ウィンドウサイズに少なくとも部分的に基づいて、クリアチャネルアセスメントを実行することと、
を備える、ワイヤレス通信のための方法。
【請求項１９】
１つまたは複数のキャリア上で、第１の、ダウンリンク、送信を送信するための手段と、
前記第１の送信に関連する第１のパラメータを決定するための手段と、ここにおいて、前記第１のパラメータは、前記第１の、ダウンリンク、送信に対応する少なくとも１つの報告されない肯定応答を備える、
前記第１のパラメータに少なくとも部分的に基づいて、第１の競合ウィンドウ調整値を決定するための手段と、
前記第１の競合ウィンドウ調整値に第１の重み付けファクタを適用するための手段と、
前記重み付けされた第１の競合ウィンドウ調整値に少なくとも部分的に基づいて、第２の、アップリンク、送信のための競合ウィンドウサイズを調整するための手段と、ここにおいて、前記競合ウィンドウサイズがアップリンク（ＵＬ）送信機会に対応し、
その競合ウィンドウサイズを調整するために、それぞれのユーザ機器に、少なくとも１つのユーザ機器へのダウンリンク送信において送信するための手段と、を備える、基地局におけるワイヤレス通信のための装置。
【請求項２０】
ワイヤレス通信のためのシステムであって、
前記システムは、請求項１９の基地局におけるワイヤレス通信のための前記装置およびユーザ機器におけるワイヤレス通信のための装置を備え、ユーザ機器におけるワイヤレス通信のための前記装置は、
前記基地局にメッセージを送信するための手段と、
前記基地局から、その競合ウィンドウサイズを調整するための前記ユーザ機器への送信を受信するための手段と、ここにおいて、前記競合ウィンドウサイズ調整が、前記メッセージに少なくとも部分的に基づいて、第１の競合ウィンドウ調整値に適用される第１の重み付けファクタを使用して計算され、前記競合ウィンドウサイズがアップリンク（ＵＬ）送信機会に対応し、
前記競合ウィンドウサイズに少なくとも部分的に基づいて、クリアチャネルアセスメントを実行するための手段と、
を備える、ワイヤレス通信のためのシステム。
【請求項２１】
ワイヤレス通信のためのコンピュータ実行可能コードを記憶する非一時的コンピュータ可読媒体であって、前記コードが、請求項１乃至１７のいずれか一項に記載の方法を実行するためにプロセッサによって実行可能である、非一時的コンピュータ可読媒体。
【発明の詳細な説明】
【相互参照】
【０００１】
[0001]本特許出願は、各々が本出願の譲受人に譲渡された、２０１５年５月２３日に出願された、「Techniques for Adjusting Clear Channel Assessment (CCA) Window for Transmissions in a Shared Radio Frequency Spectrum Band」と題する、Ｙｅｒｒａｍａｌｌｉらによる米国仮特許出願第６２／１６５，９２８号、および２０１５年１０月２日に出願された、「Techniques for Adjusting Clear Channel Assessment (CCA) Window for Transmissions in a Shared Radio Frequency Spectrum Band」と題する、Ｙｅｒｒａｍａｌｌｉらによる米国仮特許出願第６２／２３６，８２７号、および２０１６年５月１０日に出願された、「Techniques for Adjusting Clear Channel Assessment (CCA) Window for Transmissions in a Shared Radio Frequency Spectrum Band」と題する、Ｙｅｒｒａｍａｌｌｉらによる米国特許出願第１５／１５０，７９０号に対する優先権を主張する。
【背景技術】
【０００２】
開示の分野
[0002]本開示は、たとえば、ワイヤレス通信システムに関し、より詳細には、共有無線周波数スペクトル帯域中での送信のためにクリアチャネルアセスメント（ＣＣＡ：clear channel assessment）ウィンドウを調整するための技法に関する。
【０００３】
関連技術の説明
[0003]ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能であり得る。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（たとえば、ロングタームエボリューション（ＬＴＥ（登録商標））システム）を含む。ワイヤレス多元接続通信システムは、場合によってはユーザ機器（ＵＥ）として知られていることがある、複数の通信デバイスのための通信を各々が同時にサポートする、いくつかの基地局を含み得る。
【０００４】
[0004]いくつかの場合には、ワイヤレスシステムは、共有またはライセンスされていない無線周波数スペクトル帯域中で動作し得る。共有またはライセンスされていない無線周波数スペクトル帯域中で動作するＵＥまたは基地局は、チャネルが、送信するより前にクリアであることを検証するために、クリアチャネルアセスメント（ＣＣＡ）を実行し得る。
【発明の概要】
【０００５】
[0005]本開示は、たとえば、共有無線周波数スペクトル帯域中での送信のためにクリアチャネルアセスメント（ＣＣＡ）ウィンドウを調整するための１つまたは複数の技法に関する。より詳細には、本技法は、ハイブリッド自動再送要求（ＨＡＲＱ）フィードバック、信号対雑音比、または送信が正常に復号されかどうかに関する決定など、第１の送信に関連するパラメータを識別すること（たとえば、基地局）に関する。基地局は、次いで、パラメータに基づいて競合ウィンドウ調整値を決定し得る。基地局は、次いで、競合ウィンドウ調整値に（たとえば、送信の時間、サービスされている（being served）デバイスの数、送信パラメータの態様などに基づいて）重み付けファクタ（weighting factor）を適用し得る。次いで、第２の送信のための競合ウィンドウサイズが、重み付けされた競合ウィンドウ調整値（およびいくつかの場合には、他の送信に基づく他の重み付けされた調整値）に基づいて調整され得る。基地局は、次いで、競合ウィンドウサイズに基づいてクリアチャネルアセスメント（ＣＣＡ）を実行し得るか、または（たとえば、アップリンク送信のために）ＣＣＡを実行し得るユーザ機器（ＵＥ）に競合ウィンドウサイズをシグナリングし得るかのいずれかである。
【０００６】
[0006]ワイヤレス通信の方法が説明される。本方法は、第１の送信に関連する第１のパラメータを決定することと、第１のパラメータに少なくとも部分的に基づいて、第１の競合ウィンドウ調整値を決定することと、第１の競合ウィンドウ調整値に第１の重み付けファクタを適用することと、重み付けされた第１の競合ウィンドウ調整値に少なくとも部分的に基づいて、第２の送信のための競合ウィンドウサイズを調整することとを含み得る。
【０００７】
[0007]ワイヤレス通信のための装置が説明される。本装置は、第１の送信に関連する第１のパラメータを決定するための手段と、第１のパラメータに少なくとも部分的に基づいて、第１の競合ウィンドウ調整値を決定するための手段と、第１の競合ウィンドウ調整値に第１の重み付けファクタを適用するための手段と、重み付けされた第１の競合ウィンドウ調整値に少なくとも部分的に基づいて、第２の送信のための競合ウィンドウサイズを調整するための手段とを含み得る。
【０００８】
[0008]さらなる装置が説明される。本装置は、プロセッサと、プロセッサと電子通信しているメモリと、メモリに記憶された命令とを含み得る。命令は、第１の送信に関連する第１のパラメータを決定することと、第１のパラメータに少なくとも部分的に基づいて、第１の競合ウィンドウ調整値を決定することと、第１の競合ウィンドウ調整値に第１の重み付けファクタを適用することと、重み付けされた第１の競合ウィンドウ調整値に少なくとも部分的に基づいて、第２の送信のための競合ウィンドウサイズを調整することとをプロセッサに行わせるように動作可能であり得る。
【０００９】
[0009]ワイヤレス通信のための非一時的コンピュータ可読媒体が説明される。本非一時的コンピュータ可読媒体は、第１の送信に関連する第１のパラメータを決定することと、第１のパラメータに基づいて、第１の競合ウィンドウ調整値を決定することと、第１の競合ウィンドウ調整値に第１の重み付けファクタを適用することと、重み付けされた第１の競合ウィンドウ調整値に基づいて、第２の送信のための競合ウィンドウサイズを調整することとをプロセッサに行わせるための命令を含み得る。
【００１０】
[0010]上記で説明された方法、装置、または非一時的コンピュータ可読媒体のいくつかの例では、第１のパラメータは、１つまたは複数の送信機会のためのハイブリッド自動再送要求（ＨＡＲＱ）フィードバックを備える。上記で説明された方法、装置、または非一時的コンピュータ可読媒体のいくつかの例では、第１の競合ウィンドウ調整値は、ＨＡＲＱフィードバック中の否定応答（ＮＡＣＫ）の数に基づく。
【００１１】
[0011]上記で説明された方法、装置、または非一時的コンピュータ可読媒体のいくつかの例では、第１の重み付けファクタは、ＨＡＲＱフィードバックが多重化モードにあるかどうかに基づく。上記で説明された方法、装置、または非一時的コンピュータ可読媒体のいくつかの例は、多重化モードでの肯定応答（ＡＣＫ）またはＮＡＣＫの数を報告するためのプロセス、特徴、手段、または命令をさらに含み得、ここで、第１の重み付けファクタは、ＨＡＲＱフィードバック中のＮＡＣＫの数に基づく。
【００１２】
[0012]上記で説明された方法、装置、または非一時的コンピュータ可読媒体のいくつかの例では、第１の競合ウィンドウ調整値を決定することは、ルックアップテーブルを使用して第１の競合ウィンドウ調整値を決定することを備え、ここで、ルックアップテーブルは、第１の送信のフレーム構造に基づく。上記で説明された方法、装置、または非一時的コンピュータ可読媒体のいくつかの例では、第１の送信はライセンスされているスペクトル中にある。
【００１３】
[0013]上記で説明された方法、装置、または非一時的コンピュータ可読媒体のいくつかの例では、第１のパラメータは第１の送信のフレーム構造に基づく。上記で説明された方法、装置、または非一時的コンピュータ可読媒体のいくつかの例では、第１のパラメータは、少なくとも１つの報告されない肯定応答を備える。
【００１４】
[0014]上記で説明された方法、装置、または非一時的コンピュータ可読媒体のいくつかの例は、報告されるＮＡＣＫの場合とは別様に、少なくとも１つの報告されない肯定応答について第１の競合ウィンドウ調整値に第１の重み付けファクタを適用するためのプロセス、特徴、手段、または命令をさらに含み得る。
【００１５】
[0015]上記で説明された方法、装置、または非一時的コンピュータ可読媒体のいくつかの例では、競合ウィドウサイズはアップリンク（ＵＬ）送信機会に対応する。上記で説明された方法、装置、または非一時的コンピュータ可読媒体のいくつかの例は、１つまたは複数のキャリア上で第１の送信を送信するためのプロセス、特徴、手段、または命令をさらに含み得る。
【００１６】
[0016]上記で説明された方法、装置、または非一時的コンピュータ可読媒体のいくつかの例では、第１のパラメータを決定することは、物理アップリンク制御チャネル（ＰＵＣＣＨ：physical uplink control channel）が正常に復号されたかどうかを決定することを備える。上記で説明された方法、装置、または非一時的コンピュータ可読媒体のいくつかの例では、競合ウィンドウサイズは、ＵＬ送信機会が、自己スケジュールされる（self-scheduled）のかクロスキャリアスケジュールされる（cross-carrier scheduled）のかに基づいて調整される。上記で説明された方法、装置、または非一時的コンピュータ可読媒体のいくつかの例では、競合ウィンドウサイズは１つまたは複数のキャリアについて異なる。
【００１７】
[0017]上記で説明された方法、装置、または非一時的コンピュータ可読媒体のいくつかの例は、各キャリアについてハイブリッド自動再送要求（ＨＡＲＱ）フィードバックを通して否定応答（ＮＡＣＫ）の数を受信するためのプロセス、特徴、手段、または命令をさらに含み得る。上記で説明された方法、装置、または非一時的コンピュータ可読媒体のいくつかの例は、すべてのキャリアについてＮＡＣＫの数に基づいて第１の競合ウィンドウ調整値を決定するためのプロセス、特徴、手段、または命令をさらに含み得る。上記で説明された方法、装置、または非一時的コンピュータ可読媒体のいくつかの例は、すべてのキャリアについて第２の送信のための競合ウィンドウサイズを調整するためのプロセス、特徴、手段、または命令をさらに含み得、ここで、競合ウィンドウサイズはすべてのキャリアについて同じである。
【００１８】
[0018]上記で説明された方法、装置、または非一時的コンピュータ可読媒体のいくつかの例では、１つまたは複数のキャリアは、１次キャリアと１つまたは複数の２次キャリアとを備え、本方法は、１次キャリアに関連するバックオフタイマーを開始することをさらに備え、ここで、バックオフタイマーは１つまたは複数の２次キャリアに適用される。上記で説明された方法、装置、または非一時的コンピュータ可読媒体のいくつかの例では、１つまたは複数の２次キャリアは、１次キャリアに対して所定の周波数分離内にある。
【００１９】
[0019]上記で説明された方法、装置、または非一時的コンピュータ可読媒体のいくつかの例では、１つまたは複数の２次キャリアはライセンスされていない情報インフラストラクチャ無線帯域中にある。上記で説明された方法、装置、または非一時的コンピュータ可読媒体のいくつかの例では、２次キャリアの総数が、重み付けされた第２の競合ウィンドウ調整値に基づいて調整された所定の数よりも少ない。
【００２０】
[0020]上記で説明された方法、装置、または非一時的コンピュータ可読媒体のいくつかの例は、競合ウィンドウサイズに基づいて、クリアチャネルアセスメントを実行するためのプロセス、特徴、手段、または命令をさらに含み得る。上記で説明された方法、装置、または非一時的コンピュータ可読媒体のいくつかの例は、第１の競合ウィンドウ調整値に対応する送信機会に基づいて、第１の競合ウィンドウ調整値に第１の重み付けファクタを適用するためのプロセス、特徴、手段、または命令をさらに含み得る。
【００２１】
[0021]上記で説明された方法、装置、または非一時的コンピュータ可読媒体のいくつかの例では、第１の競合ウィンドウ調整値に第１の重み付けファクタを適用することは、対応する送信機会が時間期間外にある（falls outside a time period）第１の競合ウィンドウ調整値に、０の第１の重み付けファクタを適用することを備える。上記で説明された方法、装置、または非一時的コンピュータ可読媒体のいくつかの例は、無限インパルス応答フィルタに基づいて、第１の競合ウィンドウ調整値に第１の重み付けファクタを適用するためのプロセス、特徴、手段、または命令をさらに含み得る。
【００２２】
[0022]上記で説明された方法、装置、または非一時的コンピュータ可読媒体のいくつかの例は、第１のパラメータに関連するユーザ機器（ＵＥ）に基づいて、第１の競合ウィンドウ調整値に第１の重み付けファクタを適用するためのプロセス、特徴、手段、または命令をさらに含み得る。上記で説明された方法、装置、または非一時的コンピュータ可読媒体のいくつかの例は、第１のパラメータに関連する許可が有効な許可であるかどうかに基づいて、第１の競合ウィンドウ調整値に第１の重み付けファクタを適用するためのプロセス、特徴、手段、または命令をさらに含み得る。
【００２３】
[0023]上記で説明された方法、装置、または非一時的コンピュータ可読媒体のいくつかの例は、第１の競合ウィンドウ調整値に第１の重み付けファクタを適用するためのプロセス、特徴、手段、または命令をさらに含み得る。上記で説明された方法、装置、または非一時的コンピュータ可読媒体のいくつかの例は、報告されるＮＡＣＫと同様にして、少なくとも１つの報告されない肯定応答について第１の競合ウィンドウ調整値に第１の重み付けファクタを適用するためのプロセス、特徴、手段、または命令をさらに含み得る。
【００２４】
[0024]上記で説明された方法、装置、または非一時的コンピュータ可読媒体のいくつかの例は、第１の送信のキャリアとは異なるキャリア上で第２の送信を送信するためのプロセス、特徴、手段、または命令をさらに含み得る。上記で説明された方法、装置、または非一時的コンピュータ可読媒体のいくつかの例は、競合ウィンドウサイズをリセットすることを控えるためのプロセス、特徴、手段、または命令をさらに含み得る。上記で説明された方法、装置、または非一時的コンピュータ可読媒体のいくつかの例では、第１の送信は１つまたは複数のＵＥに送られ、本方法は、競合ウィンドウサイズをリセットすることをさらに備える。
【００２５】
[0025]上記で説明された方法、装置、または非一時的コンピュータ可読媒体のいくつかの例は、競合ウィンドウサイズをリセットすることが、第２の送信の後の経過持続時間に基づくためのプロセス、特徴、手段、または命令をさらに含み得る。上記で説明された方法、装置、または非一時的コンピュータ可読媒体のいくつかの例では、第１の送信に関連する第１のパラメータを決定することは、第１の送信に基づいて、１つまたは複数のＵＥの各々から少なくとも１つの肯定応答（ＡＣＫ）インジケーションを受信することをさらに備える。
【００２６】
[0026]上記で説明された方法、装置、または非一時的コンピュータ可読媒体のいくつかの例は、第１の送信に基づいて、肯定応答（ＡＣＫ）および否定応答（ＮＡＣＫ）インジケーションを受信するためのプロセス、特徴、手段、または命令をさらに含み得る。上記で説明された方法、装置、または非一時的コンピュータ可読媒体のいくつかの例は、第１の送信に関連する第１のパラメータを決定するためのプロセス、特徴、手段、または命令をさらに含み得、ここで、第１のパラメータは、サポートされるユーザ機器（ＵＥ）の総数に対するＡＣＫの割合を備える。
【００２７】
[0027]上記で説明された方法、装置、または非一時的コンピュータ可読媒体のいくつかの例は、第１のパラメータに関連する、送信機会のサイズまたはリソース割振りに基づいて、第１の競合ウィンドウ調整値に第１の重み付けファクタを適用するためのプロセス、特徴、手段、または命令をさらに含み得る。上記で説明された方法、装置、または非一時的コンピュータ可読媒体のいくつかの例は、１つまたは複数のＵＥの各々から少なくとも１つのＡＣＫインジケーションを受信するためのプロセス、特徴、手段、または命令をさらに含み得る。
【００２８】
[0028]上記で説明された方法、装置、または非一時的コンピュータ可読媒体のいくつかの例は、第１のパラメータに関連するブロックエラーレート（ＢＬＥＲ：block error rate）ターゲットに基づいて、第１の競合ウィンドウ調整値に第１の重み付けファクタを適用するためのプロセス、特徴、手段、または命令をさらに含み得る。上記で説明された方法、装置、または非一時的コンピュータ可読媒体のいくつかの例では、ＵＥの数がしきい値よりも大きく、本方法は、所定の割合のＵＥから少なくとも１つのＡＣＫインジケーションを受信することをさらに備える。
【００２９】
[0029]上記で説明された方法、装置、または非一時的コンピュータ可読媒体のいくつかの例では、第１の送信は１つまたは複数のＵＥに送られ、本方法は、１つまたは複数のＵＥのための競合ウィンドウサイズに基づいて、１つまたは複数のＵＥをＵＥの１つまたは複数のグループに分割することをさらに備える。上記で説明された方法、装置、または非一時的コンピュータ可読媒体のいくつかの例では、本方法は、ＵＥの１つまたは複数のグループのためのカウンタをランダムに生成することをさらに備える。上記で説明された方法、装置、または非一時的コンピュータ可読媒体のいくつかの例は、ＵＥの１つまたは複数のグループのためのカウンタを開始するためのプロセス、特徴、手段、または命令をさらに含み得る。上記で説明された方法、装置、または非一時的コンピュータ可読媒体のいくつかの例は、それらのカウンタが満了したＵＥのグループに第２の送信を送信するためのプロセス、特徴、手段、または命令をさらに含み得る。
【００３０】
[0030]上記で説明された方法、装置、または非一時的コンピュータ可読媒体のいくつかの例では、第１のパラメータは、ＰＵＣＣＨ中で受信された干渉インジケーションを備える。上記で説明された方法、装置、または非一時的コンピュータ可読媒体のいくつかの例は、キャリアアグリゲーション構成または多地点協調構成に基づいて、第１の競合ウィンドウ調整値に第１の重み付けファクタを適用するためのプロセス、特徴、手段、または命令をさらに含み得る。
【００３１】
[0031]上記で説明された方法、装置、または非一時的コンピュータ可読媒体のいくつかの例は、ＵＥの２つまたはそれ以上のグループからＵＥの第１のグループをランダムに選定するためのプロセス、特徴、手段、または命令をさらに含み得、ここで、ＵＥの２つまたはそれ以上のグループのカウンタは同じ値である。上記で説明された方法、装置、または非一時的コンピュータ可読媒体のいくつかの例は、ＵＥの第１のグループに第２の送信を送信するためのプロセス、特徴、手段、または命令をさらに含み得る。
【００３２】
[0032]上記で説明された方法、装置、または非一時的コンピュータ可読媒体のいくつかの例は、第１のパラメータがブロードキャストチャネルに対応するかどうかに基づいて、第１の競合ウィンドウ調整値に第１の重み付けファクタを適用するためのプロセス、特徴、手段、または命令をさらに含み得る。
【００３３】
[0033]上記で説明された方法、装置、または非一時的コンピュータ可読媒体のいくつかの例は、第２の送信の後に、ＵＥの１つまたは複数のグループのためのカウンタをランダムに再生成するためのプロセス、特徴、手段、または命令をさらに含み得る。上記で説明された方法、装置、または非一時的コンピュータ可読媒体のいくつかの例は、第１のパラメータが、干渉消去をインプリメントするまたはインプリメントすることが可能なユーザ機器（ＵＥ）に対応するかどうかに基づいて、第１の競合ウィンドウ調整値に第１の重み付けファクタを適用するためのプロセス、特徴、手段、または命令をさらに含み得る。
【００３４】
[0034]上記で説明された方法、装置、または非一時的コンピュータ可読媒体のいくつかの例は、それらのカウンタが満了したＵＥのグループのためのカウンタの満了に基づいて、ＵＥの１つまたは複数のグループのカウンタを停止するためのプロセス、特徴、手段、または命令をさらに含み得る。上記で説明された方法、装置、または非一時的コンピュータ可読媒体のいくつかの例は、第３の送信のためにＵＥの１つまたは複数のグループのためのカウンタの値を保持するためのプロセス、特徴、手段、または命令をさらに含み得る。
【００３５】
[0035]上記で説明された方法、装置、または非一時的コンピュータ可読媒体のいくつかの例では、競合ウィドウサイズは、第１のパラメータに対応する１つまたは複数のＤＬ送信機会に続くＤＬ送信機会に対応する。
【００３６】
[0036]ワイヤレス通信の方法が説明される。本方法は、基地局にメッセージを送信することと、基地局から競合ウィンドウサイズを受信することと、ここにおいて、競合ウィンドウサイズが、メッセージに少なくとも部分的に基づいて、第１の競合ウィンドウ調整値に適用される第１の重み付けファクタを使用して計算され、競合ウィンドウサイズに少なくとも部分的に基づいて、クリアチャネルアセスメントを実行することとを含み得る。
【００３７】
[0037]ワイヤレス通信のための装置が説明される。本装置は、基地局にメッセージを送信するための手段と、基地局から競合ウィンドウサイズを受信するための手段と、ここにおいて、競合ウィンドウサイズが、メッセージに少なくとも部分的に基づいて、第１の競合ウィンドウ調整値に適用される第１の重み付けファクタを使用して計算され、競合ウィンドウサイズに少なくとも部分的に基づいて、クリアチャネルアセスメントを実行するための手段とを含み得る。
【００３８】
[0038]さらなる装置が説明される。本装置は、プロセッサと、プロセッサと電子通信しているメモリと、メモリに記憶された命令とを含み得る。命令は、基地局にメッセージを送信することと、基地局から競合ウィンドウサイズを受信することと、ここにおいて、競合ウィンドウサイズが、メッセージに少なくとも部分的に基づいて、第１の競合ウィンドウ調整値に適用される第１の重み付けファクタを使用して計算され、競合ウィンドウサイズに少なくとも部分的に基づいて、クリアチャネルアセスメントを実行することとをプロセッサに行わせるように動作可能であり得る。
【００３９】
[0039]ワイヤレス通信のための非一時的コンピュータ可読媒体が説明される。本非一時的コンピュータ可読媒体は、基地局にメッセージを送信することと、基地局から競合ウィンドウサイズを受信することと、ここで、競合ウィンドウサイズが、メッセージに基づいて、第１の競合ウィンドウ調整値に適用される第１の重み付けファクタを使用して計算され、競合ウィンドウサイズに基づいて、クリアチャネルアセスメントを実行することとをプロセッサに行わせるための命令を含み得る。
【００４０】
[0040]上記で説明された方法、装置、または非一時的コンピュータ可読媒体のいくつかの例では、基地局にメッセージを送信することは、ダウンリンク送信における少なくとも１つのトランスポートブロックが正常に復号されたことを示すビットを送信することを備え、ここで、競合ウィンドウサイズは、送信されたビットに基づく。
【００４１】
[0041]上記で説明された方法、装置、または非一時的コンピュータ可読媒体のいくつかの例では、基地局にメッセージを送信することは、ダウンリンク送信における少なくとも１つのコードブロックが正常に復号されたことを示すビットを送信することを備え、ここで、競合ウィンドウサイズは、送信されたビットに基づく。上記で説明された方法、装置、または非一時的コンピュータ可読媒体のいくつかの例では、基地局にメッセージを送信することは、物理アップリンク共有チャネル（ＰＵＳＣＨ：physical uplink shared channel）上でデータを送信することを備える。
【００４２】
[0042]上記で説明された方法、装置、または非一時的コンピュータ可読媒体のいくつかの例は、ダウンリンク送信中の衝突を検出するためのプロセス、特徴、手段、または命令をさらに含み得る。上記で説明された方法、装置、または非一時的コンピュータ可読媒体のいくつかの例は、基地局にメッセージを送信することが、衝突を示すビットを送信することを備える、ためのプロセス、特徴、手段、または命令をさらに含み得、ここで、競合ウィンドウサイズは、送信されたビットに基づく。
【００４３】
[0043]上記は、以下の詳細な説明がより良く理解され得るように、本開示による例の特徴および技術的利点についてやや広く概説した。追加の特徴および利点が以下で説明される。開示される概念および具体例は、本開示の同じ目的を実行するための他の構造を変更または設計するための基礎として容易に利用され得る。そのような等価な構成は、添付の特許請求の範囲から逸脱しない。本明細書で開示される概念の特徴、それらの編成と動作方法の両方は、関連する利点とともに、添付の図に関連して以下の説明を検討するとより良く理解されよう。図の各々は、例示および説明の目的で与えられるものであり、特許請求の範囲の制限の定義として与えられるものではない。
【００４４】
[0044]本発明の性質および利点のさらなる理解は、以下の図面を参照して実現され得る。添付の図では、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。本明細書において第１の参照ラベルが使用される場合、説明は、第２の参照ラベルにかかわらず、同じ第１の参照ラベルを有する同様の構成要素のうちのいずれにも適用可能である。
【図面の簡単な説明】
【００４５】
【図１】[0045]本開示の態様による、ＣＣＡウィンドウの調整をサポートするワイヤレス通信システムの一例を示す図。
【図２】[0046]本開示の態様による、ＣＣＡウィンドウの調整をサポートするワイヤレス通信サブシステムの一例を示す図。
【図３】[0047]本開示の態様による、競合ウィンドウ適応の一例を示す図。
【図４】[0048]本開示の態様による、ＣＣＡウィンドウの調整をサポートするプロセスフローの一例を示す図。
【図５】[0049]本開示の態様による、ＣＣＡウィンドウ適応をサポートするワイヤレスデバイスのブロック図。
【図６】本開示の態様による、ＣＣＡウィンドウ適応をサポートするワイヤレスデバイスのブロック図。
【図７】[0050]本開示の態様による、ＣＣＡウィンドウ適応のためのワイヤレスデバイスの構成要素であり得るＣＣＡ適応構成要素のブロック図。
【図８】[0051]本開示の態様による、ＣＣＡウィンドウ適応をサポートするＵＥを含むシステムのブロック図。
【図９】[0052]本開示の態様による、ＣＣＡウィンドウ適応をサポートするワイヤレスデバイスのブロック図。
【図１０】本開示の態様による、ＣＣＡウィンドウ適応をサポートするワイヤレスデバイスのブロック図。
【図１１】[0053]本開示の様々な態様による、ＣＣＡウィンドウ適応のためのワイヤレスデバイスの構成要素であり得る基地局ＣＣＡ適応構成要素のブロック図。
【図１２】[0054]本開示の態様による、ＣＣＡウィンドウ適応をサポートする基地局を含むシステムのブロック図。
【図１３】[0055]本開示の態様による、ＣＣＡウィンドウ適応のための方法を示すフローチャート。
【図１４】本開示の態様による、ＣＣＡウィンドウ適応のための方法を示すフローチャート。
【図１５】本開示の態様による、ＣＣＡウィンドウ適応のための方法を示すフローチャート。
【図１６】本開示の態様による、ＣＣＡウィンドウ適応のための方法を示すフローチャート。
【図１７】本開示の態様による、ＣＣＡウィンドウ適応のための方法を示すフローチャート。
【図１８】本開示の態様による、ＣＣＡウィンドウ適応のための方法を示すフローチャート。
【図１９】本開示の態様による、ＣＣＡウィンドウ適応のための方法を示すフローチャート。
【図２０】本開示の態様による、ＣＣＡウィンドウ適応のための方法を示すフローチャート。
【図２１】本開示の態様による、ＣＣＡウィンドウ適応のための方法を示すフローチャート。
【詳細な説明】
【００４６】
[0056]共有無線周波数スペクトル帯域がワイヤレス通信システム上での通信の少なくとも一部分のために使用される技法が説明される。いくつかの例では、共有無線周波数スペクトル帯域はＬＴＥ／ＬＴＥ−Ａ通信のために使用され得る。共有無線周波数スペクトル帯域は、専用無線周波数スペクトル帯域と組み合わせて、またはそれとは無関係に使用され得る。専用無線周波数スペクトル帯域は、無線周波数スペクトル帯域が特定のユーザにライセンスされているので、送信装置がそれのためにアクセスを求めて競合しないことがある無線周波数スペクトル帯域（たとえば、ＬＴＥ／ＬＴＥ−Ａ通信のために使用可能なライセンスされている無線周波数スペクトル帯域）であり得る。共有無線周波数スペクトル帯域は、デバイスがそれのためにアクセスを求めて競合する必要があり得る、無線周波数スペクトル帯域（たとえば、Ｗｉ−Ｆｉ（登録商標）使用など、ライセンスされていない使用のために利用可能である無線周波数スペクトル帯域、あるいは等しく共有されるかまたは優先度を付けられた様式で複数のオペレータが使用するために利用可能である無線周波数スペクトル帯域）であり得る。
【００４７】
[0057]いくつかのワイヤレスシステムでは、デバイスは、衝突を防ぐために、データを送る前にある時間期間の間媒体またはチャネルを監視し得る。たとえば、デバイスはクリアチャネルアセスメント（ＣＣＡ）を使用し得る。チャネルがフリー（free）であることをデバイスが検知した場合、それは、送信することを試みる前にバックオフ期間の間待ち得る。バックオフ期間は、複数のデバイスが同時に送信することを試みている場合、衝突の可能性を低減し得る。いくつかの場合には、バックオフ期間は、あらかじめ定義された最大値までランダムに選定され得る。最大バックオフ期間は競合ウィンドウ（ＣＷ）として知られ得る。
【００４８】
[0058]いくつかの場合には、衝突が依然として起こり得、データは正常に送信しないことがある。そのような場合、ＣＷの長さが増加させられ得、それにより、複数のデバイスが正常に送信するためのより多くの機会が与えられ得る。たとえば、いくつかの場合には、ＣＷは、ワイヤレスローカルエリアネットワーク（ＷＬＡＮ）の場合のように送信が正常でない各事例について、長さが２倍になり得る（指数バックオフ（exponential backoff））。ＣＷの長さを決定するための他の方法が有益であり得る。
【００４９】
[0059]本明細書で説明されるように、ダウンリンクＣＷは、前の送信機会（ＴＸＯＰ）からのＡＣＫ／ＮＡＣＫフィードバックに基づいて適応され得る。たとえば、重み付けファクタが、ＣＷを決定するために使用される調整パラメータに適用され得る。調整パラメータの例は、ＨＡＲＱフィードバック、信号対雑音比、または送信が正常に復号されたかどうかに関する決定を含み得る。いくつかの場合には、重み付けファクタは、前のＴＸＯＰの各々に基づいて動的にインプリメントされ得る。ＴＸＯＰにおける各ＡＣＫ／ＮＡＣＫの重み付けは、いくつかのファクタに依存し得る。いくつかの場合には、多重化されたＡＣＫ／ＮＡＣＫは、個々のＡＣＫ／ＮＡＣＫよりも低い重みを有し得る。多重化されたＡＣＫ／ＮＡＣＫの場合、重み付けは、多重化されたビットの数に依存し得る。または、多重化されたＡＣＫ／ＮＡＣＫに加えて、ＵＥはＡＣＫまたはＮＡＣＫビットの数をも示し得る。重み付けは、ＡＣＫ／ＮＡＣＫが報告されるか否かにも依存し得る。
【００５０】
[0060]アップリンクＣＷも適応され得る。いくつかの場合には、使用されるべきＣＷサイズが、基地局によってＵＥにシグナリングされ得る。異なるユーザは、送信境界（transmission boundary）の共通理解がある限り、異なる値をシグナリングされ得る。ウィンドウサイズまたはウィンドウサイズの変化は、共通ダウンリンク制御情報許可（grant）の一部としてまたはアップリンク許可中でシグナリングされ得る。ＵＥウィンドウサイズのための適応アルゴリズムは、基地局からの適用可能な概念を再利用し得る。いくつかの場合には、物理アップリンク制御チャネル（ＰＵＣＣＨ）が誤り訂正符号化される、たとえば、巡回冗長検査（ＣＲＣ）符号化される場合、物理アップリンク共有チャネル（ＰＵＳＣＨ）に加えて、ＰＵＣＣＨの正常の復号（または正常でない復号）もウィンドウ適応のために使用され得る。他の場合には、ウィンドウサイズは、アップリンクが自己スケジュールされるのかクロスキャリアスケジュールされるのかに依存し得る。
【００５１】
[0061]最初に、本開示の態様がワイヤレス通信システムのコンテキストにおいて説明される。次いで、特定の例がクリアチャネルアセスメントプロセスについて説明される。本開示のこれらおよび他の態様は、ＣＣＡウィンドウ適応に関係する装置図、システム図、およびフローチャートによってさらに示され、それらを参照しながら説明される。
【００５２】
[0062]図１は、本開示の態様による、ＣＣＡウィンドウの調整をサポートするワイヤレス通信システム１００の一例を示す。ワイヤレス通信システム１００は、基地局１０５と、ユーザ機器（ＵＥ）１１５と、コアネットワーク１３０とを含む。いくつかの例では、ワイヤレス通信システム１００はロングタームエボリューション（ＬＴＥ）／ＬＴＥアドバンスト（ＬＴＥ）ネットワークであり得る。いくつかの例では、ワイヤレス通信システム１００は、基地局１０５およびＵＥ１１５が、少なくとも１つのワイヤレスチャネル上で送信するより前にＣＣＡプロシージャを実行するように、共有またはライセンスされていないスペクトル中で動作し得る。基地局１０５は、前のアップリンク（ＵＬ）またはダウンリンク（ＤＬ）送信機会に基づいて、動的に変化する競合ウィンドウサイズを決定し得る。
【００５３】
[0063]ＣＣＡは、他のアクティブ送信があるかどうかを決定するためのエネルギー検出プロシージャを含み得る。たとえば、デバイスは、電力計の受信信号強度インジケータ（ＲＳＳＩ：received signal strength indicator）の変化が、チャネルが占有されることを示すと推論し得る。詳細には、ある帯域幅中に集中し、所定の雑音フロアを超えるである信号電力が、別のワイヤレス送信機を示し得る。ＣＣＡは、チャネルの使用を示す特定のシーケンスの検出をも含み得る。たとえば、別のデバイスが、データシーケンスを送信するより前に特定のプリアンブルを送信し得る。
【００５４】
[0064]概して、基地局１０５は、１つまたは複数の基地局アンテナを介してＵＥ１１５とワイヤレス通信し得る。各基地局１０５は、それぞれの地理的カバレージエリア１１０に通信カバレージを与え得る。ワイヤレス通信システム１００に示されている通信リンク１２５は、ＵＥ１１５から基地局１０５へのアップリンク（ＵＬ）送信、または基地局１０５からＵＥ１１５へのダウンリンク（ＤＬ）送信を含み得る。ＵＥ１１５は、ワイヤレス通信システム１００全体にわたって分散され得、各ＵＥ１１５は固定または移動であり得る。ＵＥ１１５は、移動局、加入者局、リモートユニット、ワイヤレスデバイス、アクセス端末、ハンドセット、ユーザエージェント、クライアント、または何らかの他の好適な用語で呼ばれることもある。ＵＥ１１５は、セルラーフォン、ワイヤレスモデム、ハンドヘルドデバイス、パーソナルコンピュータ、タブレット、パーソナル電子デバイス、マシンタイプ通信（ＭＴＣ）デバイスなどでもあり得る。
【００５５】
[0065]基地局１０５は、コアネットワーク１３０および互いと通信し得る。たとえば、基地局１０５は、バックホールリンク１３２（たとえば、Ｓ１など）を通して、コアネットワーク１３０とインターフェースし得る。基地局１０５は、直接または間接的にのいずれかで（たとえば、コアネットワーク１３０を通して）バックホールリンク１３４（たとえば、Ｘ２など）を介して互いと通信し得る。基地局１０５は、ＵＥ１１５との通信のための無線構成およびスケジューリングを実行し得るか、または基地局コントローラ（図示せず）の制御下で動作し得る。いくつかの例では、基地局１０５は、マクロセル、スモールセル、ホットスポットなどであり得る。基地局１０５はｅノードＢ（ｅＮＢ）１０５と呼ばれることもある。
【００５６】
[0066]通信リンク１２５が、経路損失、干渉、および他の形態の信号劣化を受け得るので、ワイヤレス通信システム１００は、通信の信頼性を増加させる様々な手段を採用し得る。たとえば、ハイブリッド自動再送要求（ＨＡＲＱ）は、データがワイヤレス通信リンク１２５上で正確に受信されることを保証する方法である。ハイブリッド自動再送要求（ＨＡＲＱ）は、（たとえば、巡回冗長検査（ＣＲＣ）を使用する）誤り検出と、前方誤り訂正（ＦＥＣ）と、再送信（たとえば、自動再送要求（ＡＲＱ））との組合せを含み得る。ＨＡＲＱは、不良な（poor）無線状態（たとえば、信号対雑音状態）において媒体アクセス制御（ＭＡＣ）レイヤにおけるスループットを改善し得る。インクリメンタル冗長ＨＡＲＱでは、不正確に受信されたデータは、データを正常に復号することの全体的尤度（likelihood）を改善するために、バッファに記憶され、後続の送信と組み合わせられ得る。いくつかの場合には、冗長ビットが、送信より前に各メッセージに追加される。これは、不良な状態において特に有用であり得る。他の場合には、冗長ビットは、各送信に追加されないが、元のメッセージの送信機が、情報を復号する試みの失敗を示す否定応答（ＮＡＣＫ）を受信した後に再送信される。送信、応答および再送信のチェーンは、ＨＡＲＱプロセスと呼ばれることがある。いくつかの場合には、限られた数のＨＡＲＱプロセスが所与の通信リンク１２５のために使用され得る。
【００５７】
[0067]本開示によれば、ＨＡＲＱフィードバックは、送信機会が共有チャネル上の別のワイヤレスデバイスからの干渉の対象物（subject）であったかどうかを決定する手段でもあり得る。たとえば、基地局１０５が多数のＮＡＣＫを受信した場合、または予想されるＨＡＲＱフィードバックが受信されなかった場合、基地局は、送信衝突があったと推論し得る。その結果、ＣＣＡのための競合ウィンドウが増加され得る。
【００５８】
[0068]ＨＡＲＱフィードバックは、物理アップリンク制御チャネル（ＰＵＣＣＨ）中で送られ得る。ＰＵＣＣＨは、スケジューリング要求（ＳＲ：scheduling request）およびチャネル品質インジケータ（ＣＱＩ：channel quality indicator）および他のＵＬ制御情報のためにも使用される。物理アップリンク制御チャネル（ＰＵＣＣＨ）は、コードと２つの連続するリソースブロックとによって定義される制御チャネルにマッピングされ得る。ＵＬ制御シグナリングは、セルのためのタイミング同期の存在に依存し得る。スケジューリング要求（ＳＲ）およびチャネル品質インジケータ（ＣＱＩ）報告のためのＰＵＣＣＨリソースが、無線リソース制御（ＲＲＣ：radio resource control）シグナリングを通して割り当てられ（および取り消され）得る。いくつかの場合には、ＳＲのためのリソースは、ランダムアクセスチャネル（ＲＡＣＨ：random access channel）プロシージャを通して同期を獲得した後に割り当てられ得る。他の場合には、ＳＲはＲＡＣＨを通してＵＥ１１５に割り当てられないことがある（すなわち、同期ＵＥは専用ＳＲチャネルを有することも有しないこともある）。ＳＲおよびＣＱＩのためのＰＵＣＣＨリソースは、ＵＥがもはや同期されないときに失われ得る。いくつかの場合には、基地局は、ＰＵＣＣＨが正常に復号されたかどうかに少なくとも部分的に基づいて、競合ウィンドウサイズを計算し得る。
【００５９】
[0069]いくつかの場合には、ワイヤレス通信システム１００は１つまたは複数の拡張コンポーネントキャリア（ｅＣＣ：enhanced component carrier）を利用し得る。拡張コンポーネントキャリア（ｅＣＣ）は、フレキシブル帯域幅、異なる送信時間間隔（ＴＴＩ）、および変更された制御チャネル構成を含む、１つまたは複数の特徴によって特徴づけられ得る。いくつかの場合には、ｅＣＣは、（たとえば、複数のサービングセルが準最適な（suboptimal）バックホールリンクを有するとき）キャリアアグリゲーション（ＣＡ）構成またはデュアル接続性構成に関連し得る。ｅＣＣはまた、（たとえば、２つ以上のオペレータが、スペクトルを使用することをライセンスされている場合）ライセンスされていないスペクトルまたは共有スペクトル中で使用するために構成され得る。フレキシブル帯域幅によって特徴づけられるｅＣＣは、全帯域幅を監視することが可能でないか、または（たとえば、電力を節約するために）限られた帯域幅を使用することを選好するＵＥ１１５によって利用され得る１つまたは複数のセグメントを含み得る。
【００６０】
[0070]いくつかの場合には、ｅＣＣは、他のコンポーネントキャリア（ＣＣ）とは異なるＴＴＩ長を利用し得、これは、他のＣＣのＴＴＩと比較して低減されたまたは可変のシンボル持続時間の使用を含み得る。いくつかの場合には、シンボル持続時間は同じままであり得るが、各シンボルは別個のＴＴＩを表し得る。いくつかの例では、ｅＣＣは、異なるＴＴＩ長に関連する複数の階層レイヤを含み得る。たとえば、ある階層レイヤにおけるＴＴＩは均一な１ｍｓサブフレームに対応し得るが、第２のレイヤでは、可変長ＴＴＩは短い持続時間シンボル期間のバーストに対応し得る。いくつかの場合には、より短いシンボル持続時間は、増加されたサブキャリア間隔にも関連し得る。低減されたＴＴＩ長と併せて、ｅＣＣは、動的時分割複信（ＴＤＤ）動作を利用し得る（すなわち、それは、動的条件に従って短いバーストのためにダウンリンク（ＤＬ）動作からＵＬ動作に切り替わり得る）。
【００６１】
[0071]フレキシブル帯域幅および可変ＴＴＩは、変更制御チャネル構成（a modified control channel configuration）に関連し得る（たとえば、ｅＣＣは、ＤＬ制御情報のために拡張物理ダウンリンク制御チャネル（ｅＰＤＣＣＨ）を利用し得る）。たとえば、ｅＣＣの１つまたは複数の制御チャネルは、フレキシブル帯域幅使用に適応するために周波数分割多重化（ＦＤＭ）スケジューリングを利用し得る。他の制御チャネル変更は、（たとえば、発展型マルチメディアブロードキャストマルチキャストサービス（ｅＭＢＭＳ）スケジューリングのための、または可変長ＵＬおよびＤＬバーストの長さを示すための）追加の制御チャネルの使用、あるいは異なる間隔で送信される制御チャネルの使用を含む。ｅＣＣは、変更または追加ＨＡＲＱ関係制御情報をも含み得る。
【００６２】
[0072]したがって、基地局１０５は、ＨＡＲＱフィードバック、信号対雑音比、または送信が正常に復号されたかどうかに関する決定など、送信に関連するパラメータを決定し得る。基地局１０５は、次いで、パラメータに基づいて競合ウィンドウ調整値を決定し得る。基地局１０５は、次いで、競合ウィンドウ調整値に（たとえば、送信の時間、サービスされているデバイスの数、送信パラメータの態様などに基づいて）重み付けファクタを適用し得る。次いで、第２の送信のための競合ウィンドウサイズが、重み付けされた競合ウィンドウ調整値（およびいくつかの場合には、他の送信に基づく他の重み付けされた調整値）に基づいて調整され得る。基地局１０５は、次いで、競合ウィンドウサイズに基づいてクリアチャネルアセスメント（ＣＣＡ）を実行し得るか、または（たとえば、アップリンク送信のために）ＣＣＡを実行し得るＵＥ１１５に競合ウィンドウサイズをシグナリングし得るかのいずれかである。
【００６３】
[0073]図２は、本開示の態様による、ＣＣＡウィンドウのための調整をサポートするワイヤレス通信サブシステム２００の一例を示す。ワイヤレス通信サブシステム２００は、図１を参照しながら説明されたＵＥ１１５基地局１０５の例であり得、共有またはライセンスされていない無線周波数スペクトル帯域中で１つの無線アクセス技術（ＲＡＴ）システムを使用して通信していることがある、ＵＥ２１５、ＵＥ２２０、および基地局２０５を含み得る。たとえば、ＵＥ２１５は通信リンク２２５を介して基地局２０５と通信し得、ＵＥ２２０は通信リンク２３０を介して基地局２０５と通信し得る。ワイヤレス通信サブシステム２００は、同じスペクトル中で異なるＲＡＴを使用していることがある、ワイヤレスデバイス２０６をも含み得る。たとえば、ワイヤレスデバイス２０６は、ワイヤレスローカルエリアネットワーク（ＷＬＡＮ）中の局またはアクセスポイントであり得る。基地局２０５は、ＣＣＡプロシージャを実行するために競合ウィンドウサイズを動的に適応させ得る。たとえば、基地局２０５は、第１の送信に関連するパラメータを決定し得、パラメータに少なくとも部分的に基づいて、競合ウィンドウ調整値を決定し得る。基地局２０５は、次いで、競合ウィンドウ調整値に重み付けファクタを適用し得、次いで、重み付けされた第１の競合ウィンドウ調整値に少なくとも部分的に基づいて、第２の送信のための競合ウィンドウサイズを調整し得る。
【００６４】
[0074]基地局２０５は、衝突、たとえば、ワイヤレスデバイス２０６からの送信との衝突を防ぐために、データを送る前にある時間期間の間媒体またはチャネルを監視し得る。基地局２０５は、チャネルを検知するためにクリアチャネルアセスメント（ＣＣＡ）を使用し得る。チャネルがフリーであることを基地局２０５が検知した場合、それは、送信することを試みる前にバックオフ期間の間待ち得る。いくつかの場合には、バックオフ期間は、あらかじめ定義された最大値までランダムに選定され得る。最大バックオフ期間は競合ウィンドウ（ＣＷ）として知られ得る。いくつかの場合には、衝突が依然として起こり得、データは正常に送信しないことがある。そのような場合、ＣＷの長さが増加させられ得、それにより、複数のデバイスが正常に送信するためのより多くの機会が与えられ得る。
【００６５】
[0075]チャネル競合プロシージャに加えて、ワイヤレスシステムは、データ送信の肯定応答／否定応答（ＡＣＫ／ＮＡＣＫ）のための異なるプロセスを有し得る。これらのプロシージャは、異なる無線アクセス技術（ＲＡＴ）について異なり得る。たとえば、ＷＬＡＮでは、ＡＣＫ／ＮＡＣＫは送信の後に瞬時に行われ得、ブロックＡＣＫが可能であり得、ＡＣＫはリッスンビフォアトーク（ＬＢＴ：listen before talk）の対象とならないことがあり、ＡＣＫ／ＮＡＣＫは多重化されないことがあり、各コアブロックについてただ１つのＡＣＫ／ＮＡＣＫビットがあり得る。他のワイヤレスシステム、たとえば、セルラーワイドエリアネットワークシステムでは、ＡＣＫ／ＮＡＣＫは送信の終了から時間的に遅れ（lag）得、各トランスポートブロックは１次セル中で別個のサブフレーム中で確認応答され得、ＡＣＫは（たとえば、２次セル上で送信される場合）ＬＢＴの対象となり得、ＡＣＫ／ＮＡＣＫは部分的に多重化され得、ＡＣＫ／ＮＡＣＫはキャリアアグリゲーションに依存し得る。
【００６６】
[0076]また、異なるワイヤレスシステムが、複数のユーザを扱う（handling）ために異なる方法をも有し得る。たとえば、ＷＬＡＮでは、複数のユーザが空間多重化によって対応され得るが、セルラーワイドエリアネットワークシステムなどの他のワイヤレスシステムでは、多重化は、時分割多重化（ＴＤＭ）、周波数分割多重化（ＦＤＭ）、空間多重化、またはそれらの任意の組合せによって達成され得る。キャリア優先度もワイヤレスシステムのタイプに依存し得る。たとえば、ＷＬＡＮでは、キャリア検知多重アクセス（ＣＳＭＡ：carrier sense multiple access）が１次キャリア上のみで実行され得、ＣＣＡが２次キャリア上で実行され得るが、いくつかのセルラーネットワークでは、各キャリアが独立してＣＣＡを実行し得る。いくつかの場合には、外部ループ（outer loop）電力制御管理が、異なるワイヤレスシステムについて異なり得る。たとえば、ＷＬＡＮでは、限られた数のユーザが、バックオフを制限するのを助け得るが、セルラーシステムでは、高いブロックエラー率（ＢＬＥＲ）において外部ループを実行すること（running）が、エラーを生じ得る。また、異なるワイヤレスシステムは、異なるハイブリッド自動再送要求（ＨＡＲＱ）能力、ブロードキャストパケットのための異なるＡＣＫ／ＮＡＣＫプロシージャ、または異なる多地点協調（ＣｏＭＰ：coordinated multipoint）能力を有し得る。たとえば、ＷＬＡＮでは、ＨＡＲＱは実行されないことがあり、ブロードキャストパケットは、ビーコンによって送られ得、確認応答されないことがあり、ＣｏＭＰはサポートされないことがある。セルラーネットワークの場合、それらは、ＨＡＲＱを使用し得、ＡＣＫ／ＮＡＣＫブロードキャストチャネルを使用しないことがあり、ＣｏＭＰをサポートし得る。
【００６７】
[0077]本明細書で説明されるように、ダウンリンクＣＷは、前の送信機会（ＴＸＯＰ）からのＵＥ２１５からのＡＣＫ／ＮＡＣＫフィードバックに基づいて適応され得る。たとえば、基地局２０５は、ＣＷを決定するために使用される各調整パラメータに重み付けファクタを適用し得る。いくつかの場合には、重み付けファクタは、前のＴＸＯＰの各々に基づいて動的にインプリメントされ得る。１つの可能な場合には、重み付けは、前のＮｍｓまたは前のＮ回のＴＸＯＰに対応する時間ウィンドウ中でＵＥ２１５から受信されたＡＣＫ／ＮＡＣＫの数に基づき得、ここで、以前の（earlier）ＡＣＫ／ＮＡＣＫは廃棄され得る。この場合、Ｎは所定の変数であり得る。別の例では、重み付けは、無限インパルス応答（ＩＩＲ：infinite impulse response）フィルタなど、フィルタ処理アルゴリズムに基づき得る。たとえば、次回の（upcoming）送信機会におけるＣＷ幅は、以下によって与えられ得る。
【数１】
0006805178.tif 000002
【数２】
0006805178.tif 000003
すなわち、ここで、ＣＷ［ＴＸＯＰ（Ｍ）］は現在のＴＸＯＰのためのＣＷ幅であり、ｘは何らかの最大ウィンドウサイズに対するＭにおけるウィンドウサイズであり、ＣＷａｄｊｕｓｔｍｅｎｔは、ここで説明される１つまたは複数のファクタに依存し得るＣＷ調整ファクタである。いくつかの場合には、基地局２０５が、チャネルにアクセスすることなしに、構成された時間期間の間アイドルである場合、ＣＷは、たとえば、最小値にリセットされ得る。
【００６８】
[0078]説明されたように、競合ウィンドウサイズは、受信されたＡＣＫまたはＮＡＣＫの数を含む、パラメータの数の関数であり得る。いくつかの場合には、定義された観測期間内で基地局２０５において受信されたＡＣＫまたはＮＡＣＫの数が、どのように競合ウィンドウサイズを調整すべきかを決定するために使用され得る。観測期間の持続時間は、いくつかのファクタに依存し得る。たとえば、持続時間は固定であり得る。他の例では、持続時間は、送信のために使用されるフレーム構造に依存し得る。複数のキャリアが使用される場合、持続時間は１次セルのフレーム構造に依存し得る。たとえば、あるフレーム構造の場合、時間期間は、送信が２次セル上で開始した後ｎ＋４ｍｓにおいて開始し得、送信が終了した後ｎ＋４ｍｓにおいて終了し得る。または、たとえば、各可能なフレーム構造、たとえば、各ＴＤＤフレーム構造について観測期間を定義するために、テーブルが使用され得る。進行中の送信がない場合、競合ウィンドウサイズは、最後の利用可能な観測期間に基づいて調整され得る。いくつかの場合には、競合ウィンドウサイズは、あらかじめ決定され得る何らかの時間の持続時間の間、進行中の送信がない場合、初期サイズにリセットされ得る。
【００６９】
[0079]いくつかの場合には、通信が複数のキャリア上で行われ得、フィードバックが各キャリアについて受信され得る。たとえば、通信リンク２２５は複数のキャリアを構成し得る。競合ウィンドウサイズは、各キャリアについて独立して調整され得るか、またはすべてのキャリアからのフィードバックに基づいて調整され得る。たとえば、リッスンビフォアトーク（ＬＢＴ）を各キャリアが独立して実行する場合、競合ウィンドウサイズは独立して決定され得、それは、そのキャリアについて受信されたＡＣＫ／ＮＡＣＫに依存し得る。または、競合ウィンドウサイズは、すべてのキャリアについて受信されたＡＣＫ／ＮＡＣＫに基づいて決定され得、ここで、得られた競合ウィンドウサイズは、次いで、すべてのキャリアについて使用される。そのような場合、バックオフタイマーのカウントダウンは、各キャリアについて依然として独立していることがある。他の例では、１次キャリアが他のキャリア、たとえば、２次キャリアに代わってカウントダウンを実行し得る。そのような場合、競合ウィンドウサイズは、すべてのキャリアについて受信されたＡＣＫ／ＮＡＣＫフィードバックに基づいて決定され得る。いくつかの場合には、２次キャリアを構成するものに対して制限が課され得る。たとえば、１次キャリアと２次キャリアとの間の周波数分離に制限が適用され得る。または、１次キャリアに関連付けられた２次キャリアの総数に対して制限が課され得る。他の場合には、２次キャリアは特定のサブバンド、たとえば、ライセンスされていない情報インフラストラクチャ（Ｕ−ＮＩＩ：Unlicensed Information Infrastructure）無線帯域に制限され得る。
【００７０】
[0080]いくつかの事例では、キャリアの複数のグループが存在し、各々は１次キャリアを有し得る。基地局２０５は次の送信のためにキャリアを切り替え得る。そうである場合、競合ウィンドウサイズはリセットされないことがある。たとえば、再送信が、異なるキャリア上で行われる場合、競合ウィンドウサイズは、無矛盾な（consistent）競合ウィンドウサイズ更新を維持するために、リセットされないことがある。
【００７１】
[0081]ＴＸＯＰにおける各ＡＣＫ／ＮＡＣＫの重み付けは、いくつかのファクタに依存し得る。いくつかの場合には、多重化されたＡＣＫ／ＮＡＣＫは、ＵＥ２１５によって送られた個々のＡＣＫ／ＮＡＣＫよりも低い重みを有し得る。多重化されたＡＣＫ／ＮＡＣＫの場合、重み付けは、多重化されたビットの数に依存し得る。または、多重化されたＡＣＫ／ＮＡＣＫに加えて、ＵＥ２１５はＡＣＫまたはＮＡＣＫビットの数をも示し得る。重み付けは、ＡＣＫ／ＮＡＣＫが報告されるか否かにも依存し得る。たとえば、ＵＥ２１５がＡＣＫ／ＮＡＣＫを報告しない場合、これは、制御チャネルが復号されなかったことを示し得、これは、ＮＡＣＫ報告よりも深刻な問題を示し得る。ＮＡＣＫが報告されないので、基地局２０５は、間欠送信（ＤＴＸ）が行われたことを本質的に（inherently）知り得る。いくつかの場合には、ＤＴＸはＮＡＣＫと同様に扱われ得る。他の場合には、それは別様に扱われ得、たとえば、ＤＴＸは、ＮＡＣＫと比較してより重く重み付けされ得る。他の場合には、ＵＥ２１５は、パケットヘッダを復号するが、メディアアクセス制御プロトコルデータユニット（ＭＰＤＵ：media access control protocol data unit）を復号することに失敗し得、これは、ＤＴＸシナリオとして扱われ得る。他の場合には、たとえば、クロスキャリアスケジューリング中に基地局２０５によって送信された無効な許可に基づくＡＣＫ／ＮＡＣＫは、ＣＷ重み付け考慮について廃棄され得る。たとえば、そのような許可は、チャネル使用ビーコン信号（ＣＵＢＳ）検出に基づいて廃棄され得る。
【００７２】
[0082]いくつかの場合には、ＵＥ２１５は、キャリアが占有されるので、前の送信についてのＡＣＫ／ＮＡＣＫを送信することが可能でないことがある。たとえば、ＵＥ２１５は、ＬＢＴを実行し、キャリアが占有されると決定し得、送信しないことがある。したがって、基地局２０５は、競合ウィンドウサイズを決定するために必要とされるフィードバックを受信しないことがある。ＬＢＴがＵＥ２１５について失敗した場合、基地局２０５は、ウィンドウサイズを算出するために、消失した（missing）ＡＣＫ／ＮＡＣＫを使用することを控え得る。いくつかの場合には、ＡＣＫ／ＮＡＣＫを受信するための観測期間は、ＡＣＫ／ＮＡＣＫがライセンスされていないキャリア上で送信されるときに再定義され得、これは、すべての報告されるＡＣＫ／ＮＡＣＫが利用されることを保証するのを助け得る。
【００７３】
[0083]また、ワイヤレス通信サブシステム２００中のユーザの数およびＴＸＯＰのサイズが、重み付けに影響を及ぼし得る。たとえば、より少数のリソースブロック分のデータ（fewer resource blocks worth of data）をもつユーザが、サブフレームごとに割り振られたより多くのリソースブロックをもつ別のユーザと比較して、ＣＷ適応に対するより少ない影響を有し得る。この場合、すべてのユーザのＡＣＫ／ＮＡＣＫ結果が、ＣＷ適応のために重み付けされ得る。たとえば、割り振られたリソースブロックの数が重み付けのために使用され得る。別の場合には、各ユーザの外部ループＢＬＥＲターゲットが、ＣＷサイズの変化へのそれの寄与を調整するときに考慮され得る。たとえば、３０％の外部ループＢＬＥＲターゲットをもつユーザは、１０％の外部ループＢＬＥＲターゲットをもつユーザよりも多くの復号失敗を有し得る。
【００７４】
[0084]以下の説明は、競合ウィンドウサイズが決定または変更され得るいくつかの非限定的なオプションを提示する。第１のオプションでは、競合ウィンドウサイズは、ＮＡＣＫが観測期間内のすべての送信について報告されるときに２倍にされ得る。たとえば、ＵＥ２１５およびＵＥ２２０は、すべてのキャリア上のすべてのサブフレームについてＮＡＣＫを報告することになる。このオプションは、それが、競合ウィンドウサイズが増加されるのを妨げるいくつかの方法を与えるので、好ましくないことがある。第２のオプションでは、ＵＥ２１５およびＵＥ２２０の各々が少なくとも１つのＡＣＫを報告する場合、競合ウィンドウサイズはリセットされ得、すなわち、１つのＵＥ、たとえば、ＵＥ２１５がすべてのＮＡＣＫを報告する場合、競合ウィンドウサイズは増加する。これは、たとえば、基地局２０５が１つのユーザの競合ウィンドウサイズを増加させないためにそのユーザのために低い変調およびコーディング方式（ＭＣＳ）をスケジュールしようという動機（incentive）を低減し得る。
【００７５】
[0085]第３のオプションでは、競合ウィンドウサイズは、観測期間内に受信される受信されたＡＣＫの割合が、構成されたしきい値を超えた場合にリセットされ得る。いくつかの場合には、しきい値は５０％であり得る。いくつかの態様では、ＡＣＫまたはしきい値は、許可のために割り振られたリソースブロックの数に基づいて重み付けされ得、これは、基地局２０５が、しきい値を満たすためにＵＥ２１５およびＵＥ２２０に少数のリソースブロックを送信するのを阻み（discourage）得る。他の態様では、重み付けは、報告されたチャネル品質インジケータ（ＣＱＩ）と好ましいＣＱＩとの間の差、または報告されたＭＣＳと送信のために使用されるＭＣＳとの間の差に基づき得る。たとえば、送信のために使用されるＭＣＳが、報告されたＭＣＳよりも大きい場合、相対重みは減らされ得、その逆も同様である。
【００７６】
[0086]第４のオプションでは、オプション２および３の何らかの組合せが使用され得る。たとえば、競合ウィンドウサイズは、ＵＥ２１５とＵＥ２２０の両方が少なくとも１つのＡＣＫを報告し、ＡＣＫの割合が何らかのしきい値を超えた場合にリセットされ得る。オプション４のいくつかの態様は、スケジュールされたＵＥの数に依存し得る。たとえば、スケジュールされたＵＥの数がしきい値、たとえば、４つのＵＥを超えた場合、すべてのＵＥが少なくとも１つのＡＣＫを報告する代わりに、何らかの割合のＵＥが少なくとも１つのＡＣＫを報告する。
【００７７】
[0087]第５のオプションでは、競合ウィンドウサイズは、基地局２０５によって各ＵＥについて、たとえば、ＵＥ２１５とＵＥ２２０の両方について設定され得る。いくつかの態様では、ＵＥのセットは、それらの現在の競合ウィンドウサイズに基づいてグループに分割され得る。たとえば、ＵＥ２１５はあるグループを表し得、ＵＥ２２０は第２のグループを表し得る。次いで、乱数がＵＥの各グループについて生成され得、ここにおいて、その数はバックオフタイマーに対応する。バックオフタイマーがグループのうちの１つ（最初に（initially）最も低い数をもつグループ）について満了したとき、基地局２０５はＵＥのそのグループに送信し得る。２つのグループが同じ数を有する場合、基地局２０５は、それに送信すべきグループのうちの１つをランダムに選定し得る。一態様では、ＵＥのあらゆるグループが、送信の後に生成された新しい数を有し得る。異なる態様では、タイマーは、送信が行われるとき、ＵＥの他のグループについて停止され得、タイマーが停止されたときのタイマーの値が、保持され、後続の送信のために使用され得る。
【００７８】
[0088]上記の技法またはオプションをインプリメントするのを助けるために、ＵＥ２１５は、前の送信に基づいて、基地局２０５に様々なタイプのフィードバックを報告し得る。いくつかの場合には、ＵＥ２１５は、バンドリング（bundling）なしにＡＣＫ／ＮＡＣＫフィードバックを報告し得る。他の場合には、それはＡＣＫ／ＮＡＣＫフィードバックをバンドルし得、これは、１つまたは複数のＰＤＳＣＨ送信、すなわち、トランスポートブロックが正常に復号された場合でも、ＮＡＣＫを報告することを生じ得る。そのような事例では、ＵＥ２１５は、バンドルされたフィードバックがＮＡＣＫを生じた場合でも、少なくとも１つのＡＣＫが存在することを示すためのビットを送信し得る。または、コードブロックが正常に復号されたかどうかを示すためのビットが送られ得、そのビットを、基地局２０５は競合ウィンドウサイズを変更するために使用し得る。
【００７９】
[0089]ダウンリンクＣＷ適応は、ＵＥ２１５による衝突検出および報告にも依存し得る。たとえば、ＵＥ２１５は、所与のサブフレーム中での信号対干渉プラス雑音比（ＳＩＮＲ）の低下を検出し得、たとえば、物理アップリンク制御チャネル（ＰＵＣＣＨ）上の１ビットを使用して、基地局２０５に報告し得る。いくつかの場合には、このビットはＣＷ適応アルゴリズムのための入力として使用され得る。他の場合には、ＣＷは、キャリアにわたるまたはＣｏＭＰのための送信ポイントにわたるＣＷサイズの変動を低減するために適応され得る。たとえば、すべてのキャリアについてのＡＣＫ／ＮＡＣＫ結果が、ＣＷサイズを調整するために使用され得る。
【００８０】
[0090]いくつかの場合には、ブロードキャストチャネルがＣＷ適応のために考慮されないことがある。たとえば、ワイヤレス通信サブシステム２００は、発展型マルチメディアブロードキャストマルチキャストサービス（ｅＭＢＭＳ）のみを送信し得、その点において、ＣＷ適応は、適応についての干渉物（interferers）の数など、他のメトリックを考慮し得る（たとえば、ＵＥ２１５報告ベースのまたは基地局２０５検知ベースの、干渉物の数の決定）。他の場合には、ウィンドウ適応は、たとえば、非直交多元接続（ＮＯＭＡ）または重畳コーディングにおいて、異なるレベルの干渉消去を実行し得るユーザの寄与を調整するために異なる重みを使用し得る。別の場合には、ＵＥ２１５が干渉消去（ＩＣ）対応受信機を有する場合、異なる重みが適用され得る。これは、ＵＥ２１５がそれのＩＣ能力を基地局２０５にシグナリングすることを伴い得る。
【００８１】
[0091]アップリンクＣＷも適応され得る。いくつかの場合には、使用されるべきＣＷサイズが、基地局２０５によってＵＥ２１５にシグナリングされ得る。異なるユーザは、送信境界の共通理解がある限り、異なる値をシグナリングされ得る。ウィンドウサイズまたはウィンドウサイズの変化は、共通ダウンリンク制御情報許可の一部としてまたはアップリンク許可中でシグナリングされ得る。ＵＥ２１５ＣＷサイズのための適応アルゴリズムは、基地局２０５からの適用可能な概念を再利用し得る。いくつかの場合には、ＰＵＣＣＨが誤り訂正符号化される、たとえば、巡回冗長検査（ＣＲＣ）符号化される場合、物理アップリンク共有チャネル（ＰＵＳＣＨ）に加えて、ＰＵＣＣＨの正常の復号（または正常でない復号）もウィンドウ適応のために使用され得る。他の場合には、ウィンドウサイズは、アップリンクが自己スケジュールされるのかクロスキャリアスケジュールされるのかに依存し得る。
【００８２】
[0092]図３は、本開示の態様による、競合ウィンドウ適応３００の一例を示す。競合ウィンドウ適応３００は、図１〜図２を参照しながら説明されたＵＥ１１５および基地局１０５によって利用され得る。すなわち、競合ウィンドウ適応３００は、基地局１０５が、先行する送信機会に基づいて競合ウィンドウを適応させることの一例を表す。いくつかの場合には、適応は、複数の前の送信機会、アップリンクおよびダウンリンク機会ならびに複数の異なるＵＥ１１５の送信機会に基づき得る。
【００８３】
[0093]いくつかの場合には、デバイス１０５は、衝突を防ぐために、データを送る前にある時間期間の間媒体またはチャネルを監視し得る。チャネルがフリーであることを基地局１０５が検知した場合、それは、送信することを試みる前にバックオフ期間３１０の間待ち得る。いくつかの場合には、バックオフ期間３１０は、あらかじめ定義された最大値までランダムに選定され得る。最大バックオフ期間は競合ウィンドウ（ＣＷ）として知られ得る。いくつかの場合には、衝突が依然として起こり得る。そのような場合、ＣＷの長さが増加させられ得、それにより、複数のデバイスが正常に送信するためのより多くの機会が与えられ得る。
【００８４】
[0094]時間期間３０５−ａ、３０５−ｂ、３０５−ｃ、３０５−ｄ、３０５−ｅは、基地局１０５がキャリア検知を実行することを表し得る。キャリアが時間期間３０５−ａにおいて利用可能であると基地局１０５が決定した場合、それはバックオフ期間に入り得る。バックオフ期間３１０−ａ、３１０−ｂ、および３１０−ｃは、送信競合の検出に続く期間を表し得る。このバックオフ期間は、競合ウィンドウ３０７−ａ、３０７−ｂ、および３０７−ｃによって表され得る値の範囲からランダムに選定され得る。すなわち、バックオフ期間３１０−ａは、競合ウィンドウ３０７−ａよりも少ないかまたはそれに等しくなり得る。バックオフ期間３１０−ａが満了したとき、基地局１０５は時間期間３０５−ｂにおいてキャリア検知を実行し得る。キャリアが利用可能である場合、それは次いで送信し得る。送信機会３１５−ａおよび３１５−ｂは、送信のために利用可能なこの期間を表し得る。
【００８５】
[0095]送信の後、基地局１０５は競合ウィンドウサイズを調整し得る。この調整は、本開示で説明するいくつかのファクタ、たとえば、限定はしないが、ＵＥ１１５から受信されたＮＡＣＫの数に依存し得る。後続の送信について、基地局１０５は時間期間３０５−ｃ中で媒体を再び検知し、キャリアが利用可能である場合、バックオフ期間３１０−ｂに入り得る。競合ウィンドウ３０７−ｂは、最大可能バックオフ期間であり得、前の送信から調整され得る。バックオフ期間３１０−ｂが満了した後、基地局１０５は時間期間３０５−ｄにおいてキャリアを再び検知し得る。キャリアがビジーである場合、それはバックオフ期間３１０−ｃに入り得る。バックオフ期間３１０−ｃが満了したとき、基地局１０５は時間期間３０５−ｅにおいてキャリアを再び検知し得る。キャリアがフリーである場合、それは次いで送信機会３１５−ｂにおいて送信し得る。
【００８６】
[0096]図４は、本開示の態様による、ＣＣＡウィンドウの調整をサポートするプロセスフロー４００の一例を示す。プロセスフロー４００は、図１を参照しながら説明されたＵＥ１１５および基地局１０５の例であり得、図２を参照しながら説明されたＵＥ２１５および基地局２０５の例であり得る、ＵＥ４１５と基地局４０５とを含み得る。いくつかの例では、ＵＥ４１５は複数のＵＥを表し得る。
【００８７】
[0097]４２０において、基地局４０５は、競合ウィンドウサイズに基づいて、クリアチャネルアセスメントを実行し得る。４２５において、基地局４０５はＵＥ４１５にメッセージを送信し得る。いくつかの場合には、４２５における送信は１つまたは複数のキャリア上でのものであり得る。たとえば、１次キャリアと１つまたは複数の２次キャリアとがあり得る。いくつかの場合には、１つまたは複数の２次キャリアは、１次キャリアに対して所定の周波数分離内にあり得る。さらに、１つまたは複数の２次キャリアはライセンスされていない情報インフラストラクチャ無線帯域中にあり得るか、または２次キャリアの総数は所定の数よりも少ないことがある。
【００８８】
[0098]４３０において、ＵＥ４１５は、前の送信についてのＡＣＫ／ＮＡＣＫを含んでいることがあるメッセージを基地局４０５に送信し得る。いくつかの例では、基地局にメッセージを送信することは、ＤＬ送信に応答してＨＡＲＱフィードバックを送信することを含み得る。データは、物理アップリンク共有チャネル（ＰＵＳＣＨ）上で送信され得る。ＵＥ４１５は、多重化モードでのＡＣＫまたはＮＡＣＫの数を報告し得る。いくつかの場合には、ＨＡＲＱフィードバックは各キャリアについて受信され得る。いくつかの例では、ＵＥ４１５は、ダウンリンク送信における少なくとも１つのトランスポートブロックが正常に復号されたことを示すビットを送信し得る。他の例では、ＵＥ４１５は、ダウンリンク送信における少なくとも１つのコードブロックが正常に復号されたことを示すビットを送信し得る。さらなる例では、ＵＥ４１５は、４２５における送信中に衝突が起こったことを示すビットを送信し得る。
【００８９】
[0099]４３５において、基地局４０５は、第１の送信に関連する第１のパラメータを決定し、第１のパラメータに基づいて、第１の競合ウィンドウ調整値を決定し得る。いくつかの例では、第１のパラメータは、１つまたは複数の送信機会についてのＨＡＲＱフィードバックを含む。いくつかの例では、第１のパラメータは、少なくとも１つの報告されない肯定応答を含む。いくつかの例では、第１のパラメータを決定することは、ＰＵＣＣＨが正常に復号されているかどうかを決定することを含む。したがって、第１のパラメータは、共有スペクトルを使用する別のデバイスとの衝突が起こっていることがあるというインジケーションとして基地局４０５によって使用され得る。他の例では、第１のパラメータは、第１の送信のフレーム構造に基づき、ここで、いくつかの場合では、第１の送信はライセンスされているスペクトル中にある。いくつかの場合には、第１のパラメータは、ルックアップテーブルを使用することによって決定され得、ここで、ルックアップテーブルは、第１の送信のフレーム構造に基づき得る。
【００９０】
[0100]４４０において、基地局４０５は、第１の競合ウィンドウ調整値に第１の重み付けファクタを適用し得る。いくつかの例では、第１の重み付けファクタは、ＨＡＲＱフィードバックが多重化モードにあるかどうかに少なくとも部分的に基づく。（したがって、第１の重み付けファクタは、多重化モードでの肯定応答（ＡＣＫ）またはＮＡＣＫの数に基づき得る）。基地局４０５は、報告されるＮＡＣＫの場合とは別様に、報告されない肯定応答について第１の競合ウィンドウ調整値に第１の重み付けファクタを適用し得るか、または第１の重み付けファクタは同様にして適用され得る。基地局４０５は、第１の競合ウィンドウ調整値に対応する送信機会に基づいて、第１の競合ウィンドウ調整値に第１の重み付けファクタを適用し得る。いくつかの場合には、第１の重み付けファクタは、好ましいチャネル品質インジケータ（ＣＱＩ）と比較した、報告されたＣＱＩに少なくとも部分的に基づく。
【００９１】
[0101]いくつかの例では、第１の競合ウィンドウ調整値に第１の重み付けファクタを適用することは、対応する送信機会が時間期間外にある第１の競合ウィンドウ調整値に、０の第１の重み付けファクタを適用することを含む。いくつかの場合には、基地局４０５は、無限インパルス応答フィルタに基づいて、第１の競合ウィンドウ調整値に第１の重み付けファクタを適用し得る。基地局４０５は、第１のパラメータに関連するユーザ機器（ＵＥ）に基づいて、第１の競合ウィンドウ調整値に第１の重み付けファクタを適用し得る。
【００９２】
[0102]基地局４０５は、第１のパラメータに関連する許可が有効な許可であり得るかどうかに基づいて、第１の競合ウィンドウ調整値に第１の重み付けファクタを適用し得る。いくつかの場合には、基地局４０５は、サポートされるＵＥの数に基づいて、第１の競合ウィンドウ調整値に第１の重み付けファクタを適用し得る。いくつかの場合には、基地局４０５は、第１のパラメータに関連する、送信機会のサイズまたはリソース割振りに基づいて、第１の競合ウィンドウ調整値に第１の重み付けファクタを適用し得る。いくつかの場合には、基地局４０５は、第１のパラメータに関連するブロックエラーレート（ＢＬＥＲ）ターゲットに基づいて、第１の競合ウィンドウ調整値に第１の重み付けファクタを適用し得る。いくつかの例では、第１のパラメータは、ＰＵＣＣＨ中で受信された干渉インジケーションを含む。
【００９３】
[0103]基地局４０５は、キャリアアグリゲーション構成または多地点協調構成に基づいて、第１の競合ウィンドウ調整値に第１の重み付けファクタを適用し得る。いくつかの場合には、基地局４０５は、第１のパラメータがブロードキャストチャネルに対応するかどうかに基づいて、第１の競合ウィンドウ調整値に第１の重み付けファクタを適用し得る。いくつかの場合には、基地局４０５は、第１のパラメータが、干渉消去をインプリメントするまたはインプリメントすることが可能なＵＥに対応するかどうかに基づいて、第１の競合ウィンドウ調整値に第１の重み付けファクタを適用し得る。いくつかの例では、競合ウィドウサイズは、第１のパラメータに対応する１つまたは複数のＤＬ送信機会に続くＤＬ送信機会に対応する。
【００９４】
[0104]４４５において、基地局４０５は、重み付けされた第１の競合ウィンドウ調整値に基づいて、第２の送信のための競合ウィンドウサイズを決定し得る。いくつかの例では、第１の競合ウィンドウ調整値は、ＨＡＲＱフィードバック中のＮＡＣＫの数に少なくとも部分的に基づく。いくつかの例では、競合ウィンドウサイズは、ＵＬ送信機会が、自己スケジュールされるのかクロスキャリアスケジュールされるのかに少なくとも部分的に基づいて調整される。他の例では、競合ウィンドウサイズは各キャリアについて調整され得、これは、各キャリア上で受信されたＮＡＣＫの数に基づき得る。他の場合には、競合ウィンドウサイズはすべてのキャリアについて調整され得、ここで、調整は、すべてのキャリアについて受信されたＡＣＫ／ＮＡＣＫに依存する。
【００９５】
[0105]いくつかの場合には、基地局４０５は、第２の送信に関連する第２のパラメータを決定し得、第２のパラメータに少なくとも部分的に基づいて、第２の競合ウィンドウ調整値を決定し得る。基地局４０５は、第２の競合ウィンドウ調整値に第２の重み付けファクタを適用し得、したがって、競合ウィンドウサイズは、重み付けされた第２の競合ウィンドウ調整値に少なくとも部分的に基づいて調整される。
【００９６】
[0106]いくつかの場合には、競合ウィンドウサイズはリセットされ得る。これは、送信の後の経過持続時間に少なくとも部分的に基づき得る。他の場合には、ウィンドウサイズは、基地局４０５が４３０において１つまたは複数のＵＥ４１５の各々から少なくとも１つのＡＣＫインジケーションを受信した場合にリセットされ得る。他の場合には、ウィンドウサイズは、受信されたＡＣＫおよびＮＡＣＫの総数に対するＡＣＫの割合がしきい値を上回る場合にリセットされ得る。または、ＵＥの数が何らかのしきい値よりも大きい場合、競合ウィンドウサイズは、少なくとも１つのＡＣＫインジケーションが所定の割合のＵＥから受信された場合にリセットされ得る。
【００９７】
[0107]４５０において、基地局４０５は、競合ウィンドウサイズに基づいて、クリアチャネルアセスメントを実行し得る。いくつかの例では、基地局４０５は、ＣＣＡを実行しないことがあるが、ＵＬ送信機会より前にＵＥ４１５に競合ウィンドウサイズを送信し得、ＵＥ４１５は（たとえば、ＵＬ送信のために）ウィンドウサイズに基づいてＣＣＡを実行し得る。いくつかの場合には、基地局４０５は、バックオフタイマーを開始し得、それは、１次キャリアに関連し得、すべての２次キャリアに適用され得る。いくつかの例では、基地局４０５は複数のＵＥ４１５に送信し得る。そのような場合、基地局４０５は、１つまたは複数のＵＥ４１５のための競合ウィンドウサイズに基づいて、１つまたは複数のＵＥ４１５を１つまたは複数のグループに分割し、ＵＥ４１５の１つまたは複数のグループのためのカウンタをランダムに生成し、カウンタを開始し得る。
【００９８】
[0108]４５５において、基地局４０５はＵＥ４１５に送信し得る。いくつかの場合には、４５５における送信は、カウンタまたはバックオフタイマーの満了に依存し得る。いくつかの例では、基地局４０５は、送信の後にＵＥ４１５の１つまたは複数のグループのためのカウンタをランダムに再生成し得る。他の例では、基地局４０５は、４５５における送信が行われたとき、ＵＥ４１５の１つまたは複数のグループのためのカウンタの値を保持し得る。他の例では、４５５における送信が、４２５における送信とは異なるキャリア上にある場合、基地局４０５は、競合ウィンドウサイズをリセットすることを控え得る。
【００９９】
[0109]図５は、本開示の態様による、ＣＣＡウィンドウ適応をサポートするワイヤレスデバイス５００のブロック図を示す。ワイヤレスデバイス５００は、図１〜図４を参照しながら説明されたＵＥ１１５の態様の一例であり得る。ワイヤレスデバイス５００は、受信機５０５、ＣＣＡ適応構成要素５１０、または送信機５１５を含み得る。ワイヤレスデバイス５００はプロセッサをも含み得る。これらの構成要素の各々は互いと通信していることがある。
【０１００】
[0110]受信機５０５は、パケット、ユーザデータ、または様々な情報チャネルに関連する制御情報（たとえば、制御チャネル、データチャネル、およびＣＣＡウィンドウ適応に関係する情報など）などの情報を受信し得る。情報は、ＣＣＡ適応構成要素５１０に、およびワイヤレスデバイス５００の他の構成要素に受け渡され得る。
【０１０１】
[0111]ＣＣＡ適応構成要素５１０は、基地局にメッセージを送信することと、基地局から競合ウィンドウサイズを受信することと、したがって、競合ウィンドウサイズは、メッセージに少なくとも部分的に基づいて、第１の競合ウィンドウ調整値に適用される第１の重み付けファクタを使用して計算され、競合ウィンドウサイズに少なくとも部分的に基づいて、クリアチャネルアセスメントを実行することとを行い得る。
【０１０２】
[0112]送信機５１５は、ワイヤレスデバイス５００の他の構成要素から受信された信号を送信し得る。いくつかの例では、送信機５１５は、トランシーバ構成要素において受信機５０５とコロケートされ得る。送信機５１５は単一のアンテナを含み得るか、またはそれは複数のアンテナを含み得る。
【０１０３】
[0113]図６は、本開示の態様による、ＣＣＡウィンドウ適応をサポートするワイヤレスデバイス６００のブロック図を示す。ワイヤレスデバイス６００は、図１〜図５を参照しながら説明されたワイヤレスデバイス５００またはＵＥ１１５の態様の一例であり得る。ワイヤレスデバイス６００は、受信機６０５、ＣＣＡ適応構成要素６１０、または送信機６１５を含み得る。ワイヤレスデバイス６００はプロセッサをも含み得る。これらの構成要素の各々は互いと通信していることがある。ＣＣＡ適応構成要素６１０は、メッセージ送信構成要素６２０と、ＣＷサイズメッセージング構成要素６２５と、ＣＣＡ構成要素６３０とをも含み得る。
【０１０４】
[0114]受信機６０５は、ＣＣＡ適応構成要素６１０に、およびワイヤレスデバイス６００の他の構成要素に受け渡され得る情報を受信し得る。ＣＣＡ適応構成要素６１０は、図５を参照しながら説明された動作を実行し得る。送信機６１５は、ワイヤレスデバイス６００の他の構成要素から受信された信号を送信し得る。
【０１０５】
[0115]メッセージ送信構成要素６２０は、図２〜図４を参照しながら説明されたように、基地局にメッセージを送信し得る。いくつかの例では、基地局にメッセージを送信することは、ＤＬ送信に応答してＨＡＲＱフィードバックを送信することを含み、したがって、競合ウィンドウサイズはＨＡＲＱフィードバックに少なくとも部分的に基づき得る。いくつかの例では、基地局にメッセージを送信することは、ＰＵＳＣＨ上でデータを送信することを含む。いくつかの例では、基地局にメッセージを送信することは、ダウンリンク送信における少なくとも１つのトランスポートブロックが正常に復号されたことを示すビットを送信すること、またはダウンリンク送信における少なくとも１つのコードブロックが正常に復号されたことを示すビットを送信すること、または衝突が前のダウンリンク送信において起こったことを示すビットを送信することを含む。
【０１０６】
[0116]ＣＷサイズメッセージング構成要素６２５は、図２〜図４を参照しながら説明されたように、基地局から競合ウィンドウサイズを受信し得、したがって、競合ウィンドウサイズは、メッセージに少なくとも部分的に基づいて、第１の競合ウィンドウ調整値に適用される第１の重み付けファクタを使用して計算される。
【０１０７】
[0117]ＣＣＡ構成要素６３０は、図２〜図４を参照しながら説明されたように、競合ウィンドウサイズに少なくとも部分的に基づいて、クリアチャネルアセスメントを実行し得る。
【０１０８】
[0118]図７は、本開示の態様による、ＣＣＡウィンドウ適応のためのワイヤレスデバイス５００またはワイヤレスデバイス６００の構成要素であり得るＣＣＡ適応構成要素７１０のブロック図７００を示す。ＣＣＡ適応構成要素７１０は、図５〜図６を参照しながら説明されたＣＣＡ適応構成要素５１０の態様の一例であり得る。ＣＣＡ適応構成要素７１０は、メッセージ送信構成要素７２０と、ＣＷサイズメッセージング構成要素７２５と、ＣＣＡ構成要素７３０とを含み得る。これらの構成要素の各々は、図６を参照しながら説明された機能を実行し得る。ＣＣＡ適応構成要素７１０は、およびＣＷ重み付けファクタ構成要素７３５をも含み得る。
【０１０９】
[0119]ＣＷ重み付けファクタ構成要素７３５は、図２〜図４を参照しながら説明されたように、第１の競合ウィンドウ調整値に対応する送信機会に少なくとも部分的に基づいて、第１の重み付けファクタが第１の競合ウィンドウ調整値に適用され得るように、構成され得る。いくつかの例では、第１の重み付けファクタは、キャリアアグリゲーション構成または多地点協調構成に少なくとも部分的に基づいて、第１の競合ウィンドウ調整値に適用され得る。いくつかの例では、第１の重み付けファクタは、サポートされるＵＥの数に少なくとも部分的に基づいて、第１の競合ウィンドウ調整値に適用され得る。いくつかの例では、第１の重み付けファクタは、干渉消去能力に少なくとも部分的に基づいて、第１の競合ウィンドウ調整値に適用され得る。
【０１１０】
[0120]いくつかの例では、第１の重み付けファクタは、ＨＡＲＱフィードバックが多重化モードにあり得るかどうかに少なくとも部分的に基づき得る。ＣＷ重み付けファクタ構成要素７３５はまた、多重化モードでのＡＣＫまたはＮＡＣＫの数を報告し得、したがって、第１の重み付けファクタはその数に基づく。ＣＷ重み付けファクタ構成要素７３５はまた、報告されるＮＡＣＫの場合とは別様に、少なくとも１つの報告されない肯定応答について第１の競合ウィンドウ調整値に第１の重み付けファクタを適用し得る。ＣＷ重み付けファクタ構成要素７３５はまた、第１の競合ウィンドウ調整値に対応する送信機会に基づいて、第１の競合ウィンドウ調整値に第１の重み付けファクタを適用し得る。
【０１１１】
[0121]いくつかの例では、第１の競合ウィンドウ調整値に第１の重み付けファクタを適用することは、対応する送信機会が時間期間外にある第１の競合ウィンドウ調整値に、０の第１の重み付けファクタを適用することを含む。ＣＷ重み付けファクタ構成要素７３５はまた、無限インパルス応答フィルタに基づいて、第１の競合ウィンドウ調整値に第１の重み付けファクタを適用し得る。ＣＷ重み付けファクタ構成要素７３５はまた、第１のパラメータに関連するユーザ機器（ＵＥ）に基づいて、第１の競合ウィンドウ調整値に第１の重み付けファクタを適用し得る。ＣＷ重み付けファクタ構成要素７３５はまた、第１のパラメータに関連する許可が有効な許可であるかどうかに基づいて、第１の競合ウィンドウ調整値に第１の重み付けファクタを適用し得る。ＣＷ重み付けファクタ構成要素７３５はまた、サポートされるＵＥの数に基づいて、第１の競合ウィンドウ調整値に第１の重み付けファクタを適用し得る。
【０１１２】
[0122]ＣＷ重み付けファクタ構成要素７３５はまた、第１のパラメータに関連する、送信機会のサイズまたはリソース割振りに基づいて、第１の競合ウィンドウ調整値に第１の重み付けファクタを適用し得る。ＣＷ重み付けファクタ構成要素７３５はまた、第１のパラメータに関連するＢＬＥＲターゲットに基づいて、第１の競合ウィンドウ調整値に第１の重み付けファクタを適用し得る。ＣＷ重み付けファクタ構成要素７３５はまた、キャリアアグリゲーション構成または多地点協調構成に基づいて、第１の競合ウィンドウ調整値に第１の重み付けファクタを適用し得る。ＣＷ重み付けファクタ構成要素７３５はまた、第１のパラメータがブロードキャストチャネルに対応するかどうかに基づいて、第１の競合ウィンドウ調整値に第１の重み付けファクタを適用し得る。ＣＷ重み付けファクタ構成要素７３５はまた、第１のパラメータが、干渉消去をインプリメントするまたはインプリメントすることが可能なＵＥに対応するかどうかに基づいて、第１の競合ウィンドウ調整値に第１の重み付けファクタを適用し得る。
【０１１３】
[0123]図８は、本開示の態様による、ＣＣＡウィンドウ適応のために構成されたＵＥ１１５を含むシステム８００の図を示す。システム８００は、図１、図２、および図５〜図７を参照しながら説明されたワイヤレスデバイス５００、ワイヤレスデバイス６００、またはＵＥ１１５の一例であり得る、ＵＥ８１５を含み得る。ＵＥ８１５は、図５〜図７を参照しながら説明されたＣＣＡ適応構成要素５１０の一例であり得る、ＣＣＡ適応構成要素８１０を含み得る。ＵＥ８１５はＥＣＣ構成要素８２５をも含み得る。ＵＥ８１５は、通信を送信するための構成要素と通信を受信するための構成要素とを含む、双方向音声およびデータ通信のための構成要素をも含み得る。たとえば、ＵＥ８１５は、基地局８５０−ａなど、１つまたは複数の基地局１０５と双方向に通信し得る。
【０１１４】
[0124]図１を参照しながら説明されたように、ＵＥ８１５が、ＥＣＣを使用して動作することを可能にし得る。たとえば、ＵＥ８１５は、可変送信時間間隔（ＴＴＩ）を使用して、または多数のＣＣを用いて共有またはライセンスされていないスペクトル中で動作し得る。
【０１１５】
[0125]ＵＥ８１５は、プロセッサ８０５と、（ソフトウェア（ＳＷ）を含む）８２０メモリ８１６と、トランシーバ８３５と、１つまたは複数のアンテナ８４０とをも含み得、それらの各々は、（たとえば、バス８４５を介して）直接または間接的に互いと通信し得る。トランシーバ８３５は、上記で説明されたように、（１つまたは複数の）アンテナ８４０あるいはワイヤードリンクまたはワイヤレスリンクを介して、１つまたは複数のネットワークと双方向に通信し得る。たとえば、トランシーバ８３５は、基地局１０５または別のＵＥ１１５と双方向に通信し得る。トランシーバ８３５は、パケットを変調し、変調されたパケットを送信のために（１つまたは複数の）アンテナ８４０に与え、（１つまたは複数の）アンテナ８４０から受信されたパケットを復調するためのモデムを含み得る。ＵＥ８１５は単一のアンテナ８４０を含み得るが、ＵＥ８１５はまた、複数のワイヤレス送信を同時に送信または受信することが可能な複数のアンテナ８４０を有し得る。
【０１１６】
[0126]メモリ８１６は、ランダムアクセスメモリ（ＲＡＭ）および読取り専用メモリ（ＲＯＭ）を含み得る。メモリ８１６は、実行されたとき、プロセッサ８０５に本明細書で説明される様々な機能（たとえば、ＣＣＡウィンドウ適応など）を実行させる命令を含むコンピュータ可読、コンピュータ実行可能ソフトウェア／ファームウェアコード８２０を記憶し得る。代替的に、ソフトウェア／ファームウェアコード８２０は、プロセッサ８０５によって直接的に実行可能でないことがあるが、（たとえば、コンパイルされ実行されたとき）コンピュータに本明細書で説明される機能を実行させ得る。プロセッサ８０５は、インテリジェントハードウェアデバイス（たとえば、中央処理ユニット（ＣＰＵ）、マイクロコントローラ、特定用途向け集積回路（ＡＳＩＣ）など）を含み得る。
【０１１７】
[0127]図９は、本開示の態様による、ＣＣＡウィンドウ適応をサポートするワイヤレスデバイス９００のブロック図を示す。ワイヤレスデバイス９００は、図１〜図８を参照しながら説明された基地局１０５の態様の一例であり得る。ワイヤレスデバイス９００は、受信機９０５、基地局ＣＣＡ適応構成要素９１０、または送信機９１５を含み得る。ワイヤレスデバイス９００はプロセッサをも含み得る。これらの構成要素の各々は互いと通信していることがある。
【０１１８】
[0128]受信機９０５は、パケット、ユーザデータ、または様々な情報チャネルに関連する制御情報（たとえば、制御チャネル、データチャネル、およびＣＣＡウィンドウ適応に関係する情報など）などの情報を受信し得る。情報は、基地局ＣＣＡ適応構成要素９１０に、およびワイヤレスデバイス９００の他の構成要素に受け渡され得る。
【０１１９】
[0129]基地局ＣＣＡ適応構成要素９１０は、第１の送信に関連する第１のパラメータを決定し、第１のパラメータに基づいて、第１の競合ウィンドウ調整値を決定し、第１の競合ウィンドウ調整値に第１の重み付けファクタを適用し、重み付けされた第１の競合ウィンドウ調整値に基づいて、第２の送信のための競合ウィンドウサイズを調整し得る。
【０１２０】
[0130]送信機９１５は、ワイヤレスデバイス９００の他の構成要素から受信された信号を送信し得る。いくつかの例では、送信機９１５は、トランシーバ構成要素において受信機９０５とコロケートされ得る。送信機９１５は単一のアンテナを含み得るか、またはそれは複数のアンテナを含み得る。
【０１２１】
[0131]図１０は、本開示の態様による、ＣＣＡウィンドウ適応をサポートするワイヤレスデバイス１０００のブロック図を示す。ワイヤレスデバイス１０００は、図１〜図９を参照しながら説明されたワイヤレスデバイス９００または基地局１０５の態様の一例であり得る。ワイヤレスデバイス１０００は、受信機１００５、基地局ＣＣＡ適応構成要素１０１０、または送信機１０１５を含み得る。ワイヤレスデバイス１０００はプロセッサをも含み得る。これらの構成要素の各々は互いと通信していることがある。基地局ＣＣＡ適応構成要素１０１０は、送信パラメータ構成要素１０２０と、ＣＷ調整パラメータ構成要素１０２５と、ＢＳ  ＣＷ重み付けファクタ構成要素１０３０と、ＣＷ調整構成要素１０３５とをも含み得る。
【０１２２】
[0132]受信機１００５は、基地局ＣＣＡ適応構成要素１０１０に、およびワイヤレスデバイス１０００の他の構成要素に受け渡され得る情報を受信し得る。基地局ＣＣＡ適応構成要素１０１０は、図９を参照しながら説明された動作を実行し得る。送信機１０１５は、ワイヤレスデバイス１０００の他の構成要素から受信された信号を送信し得る。送信機１０１５はまた、１つまたは複数のキャリア、たとえば、１次および２次キャリア上で送信し得る。いくつかの場合には、１つまたは複数の２次キャリアは、１次キャリアに対して所定の周波数分離内にあり得、ライセンスされていない情報インフラストラクチャ無線帯域中にあり得、および／または２次キャリアの総数は所定の数よりも少ないことがある。いくつかの場合には、送信機１０１５は、カウンタまたはバックオフタイマーの満了後に送信し得る。
【０１２３】
[0133]送信パラメータ構成要素１０２０は、図２〜図４を参照しながら説明されたように、第１の送信に関連する第１のパラメータを決定し得る。いくつかの例では、第１のパラメータは、１つまたは複数の送信機会についてのＨＡＲＱフィードバックを含む。いくつかの場合には、ＨＡＲＱフィードバックは各キャリアについて受信される。いくつかの例では、第１のパラメータは、少なくとも１つの報告されない肯定応答を含む。いくつかの例では、第１のパラメータを決定することは、ＰＵＣＣＨが正常に復号されているかどうかを決定することを含む。送信パラメータ構成要素１０２０はまた、第２の送信に関連する第２のパラメータを決定し得る。いくつかの例では、第１のパラメータは、ＰＵＣＣＨ中で受信された干渉インジケーションを含む。いくつかの場合には、第１のパラメータは第１の送信のフレーム構造に基づき得る。たとえば、送信パラメータ構成要素１０２０は、第１の送信がライセンスされているスペクトル中にあるかどうかを決定し得る。いくつかの場合には、送信パラメータ構成要素１０２０は、第１の送信に基づいて１つまたは複数のＵＥの各々から少なくとも１つのＡＣＫインジケーションが受信されたと決定し得る。他の場合には、送信パラメータ構成要素１０２０は、ＡＣＫおよびＮＡＣＫの総数に対するＡＣＫの割合を決定し得るか、またはそれは、少なくとも１つのＡＣＫを送ったＵＥの割合を決定し得る。
【０１２４】
[0134]ＣＷ調整パラメータ構成要素１０２５は、図２〜図４を参照しながら説明されたように、第１のパラメータに基づいて第１の競合ウィンドウ調整値を決定し得る。いくつかの例では、第１の競合ウィンドウ調整値は、ＨＡＲＱフィードバック中のＮＡＣＫの数に基づき得る。ＣＷ調整パラメータ構成要素１０２５はまた、第２のパラメータに基づいて第２の競合ウィンドウ調整値を決定し得る。いくつかの場合には、ＣＷ調整パラメータ構成要素１０２５は、ルックアップテーブルを使用して調整値を決定し得、ここで、ルックアップテーブルは、第１の送信のフレーム構造に基づき得る。他の場合には、ＣＷ調整パラメータ構成要素１０２５は、各キャリアについて受信されたＮＡＣＫの数に基づいて、調整値を決定し得る。または、すべてのキャリアについて受信されたＮＡＣＫの数に基づく調整値。他の例では、ＣＷ調整パラメータ構成要素１０２５は、好ましいチャネル品質インジケータ（ＣＱＩ）と比較した、報告されたＣＱＩに基づいて第１の競合ウィンドウ調整値を決定し得る。
【０１２５】
[0135]ＢＳ  ＣＷ重み付けファクタ構成要素１０３０は、図２〜図４を参照しながら説明されたように、第１の競合ウィンドウ調整値に第１の重み付けファクタを適用し得る。
【０１２６】
[0136]ＣＷ調整構成要素１０３５は、図２〜図４を参照しながら説明されたように、重み付けされた第１の競合ウィンドウ調整値に基づいて、第２の送信のための競合ウィンドウサイズを調整し得る。いくつかの例では、競合ウィドウサイズはＵＬ送信機会に対応する。いくつかの例では、競合ウィンドウサイズは、ＵＬ送信機会が、自己スケジュールされ得るのかクロスキャリアスケジュールされ得るのかに基づいて調整され得る。ＣＷ調整構成要素１０３５はまた、第２の競合ウィンドウ調整値に第２の重み付けファクタを適用し得、したがって、競合ウィンドウサイズは、重み付けされた第２の競合ウィンドウ調整値に基づいて調整される。いくつかの例では、競合ウィドウサイズは、第１のパラメータに対応する１つまたは複数のＤＬ送信機会に続くＤＬ送信機会に対応する。さらに、ＣＷ調整構成要素１０３５は、各キャリアについて競合ウィンドウサイズを独立して調整し得るか、またはすべてのキャリアを同様に調整し得る。
【０１２７】
[0137]ＣＷ調整構成要素１０３５はまた、競合ウィンドウサイズをリセットし得る。いくつかの場合には、リセットすることは前の送信の後の経過持続時間に基づき得る。他の場合には、リセットすることは、上記で説明されたように、受信されたＡＣＫの割合に基づくか、または各ユーザからＡＣＫを受信することに基づき得る。いくつかの場合には、ＣＷ調整構成要素１０３５は、第２の送信が第１の送信とは異なるキャリア上にある場合、競合ウィンドウサイズをリセットすることを控え得る。
【０１２８】
[0138]図１１は、本開示の態様による、ＣＣＡウィンドウ適応のためのワイヤレスデバイス９００またはワイヤレスデバイス１０００の構成要素であり得る基地局ＣＣＡ適応構成要素９１０−ｂのブロック図１１００を示す。基地局ＣＣＡ適応構成要素１１４５は、図９〜図１０を参照しながら説明された基地局ＣＣＡ適応構成要素９１０の態様の一例であり得る。基地局ＣＣＡ適応構成要素１１４５は、送信パラメータ構成要素１１２０と、ＣＷ調整パラメータ構成要素１１２５と、ＢＳ  ＣＷ重み付けファクタ構成要素１１３０と、ＣＷ調整構成要素１１３５とを含み得る。これらの構成要素の各々は、図１０を参照しながら説明された機能を実行し得る。基地局ＣＣＡ適応構成要素１１４５は、ＢＳ  ＣＷサイズメッセージング構成要素１１４０とＢＳ  ＣＣＡ構成要素１１４５とをも含み得る。
【０１２９】
[0139]ＢＳ  ＣＷサイズメッセージング構成要素１１４０は、図２〜図４を参照しながら説明されたように、ＵＬ送信機会より前にＵＥに競合ウィンドウサイズを送信し得る。
【０１３０】
[0140]ＢＳ  ＣＣＡ構成要素１１４５は、図２〜図４を参照しながら説明されたように、競合ウィンドウサイズに基づいてクリアチャネルアセスメントを実行し得る。
【０１３１】
[0141]ＢＳ  ＣＣＡ構成要素１１４５はまた、バックオフタイマーを開始し得る。バックオフタイマーは、１次キャリアのためのものであり得、いくつかの場合には２次キャリアに適用され得る。ＢＳ  ＣＣＡ構成要素１１４５はまた、１つまたは複数のＵＥのための競合ウィンドウサイズに基づいて、１つまたは複数のＵＥをＵＥの１つまたは複数のグループに分割し、１つまたは複数のグループのためのカウンタをランダムに生成し、１つまたは複数のグループのためのカウンタを開始し得る。ＢＳ  ＣＣＡ構成要素１１４５は、それらのカウンタが最初に満了したＵＥのグループのためのカウンタの満了に基づいて、１つまたは複数のグループのカウンタを停止し得る。その後、ＢＳ  ＣＣＡ構成要素１１４５は、ＵＥの１つまたは複数のグループのためのカウンタをランダムに再生成し得るか、または後続の送信のために１つまたは複数のグループのためのカウンタの値を保持し得る。
【０１３２】
[0142]図１２は、本開示の態様による、ＣＣＡウィンドウ適応をサポートする基地局１０５を含むシステム１２００のブロック図を示す。システム１２００は、図１、図２、および図９〜図１１を参照しながら説明されたワイヤレスデバイス９００、ワイヤレスデバイス１０００、または基地局１０５の一例であり得る、基地局１２０５を含み得る。基地局１２０５は、図９〜図１１を参照しながら説明された基地局ＣＣＡ適応構成要素９１０の一例であり得る、基地局ＣＣＡ適応構成要素１２１０を含み得る。基地局１２０５は、通信を送信するための構成要素と通信を受信するための構成要素とを含む、双方向音声およびデータ通信のための構成要素をも含み得る。たとえば、基地局１２０５は、図１のＵＥ１１５の一例であり得るＵＥ１２４５と双方向に通信し得る。
【０１３３】
[0143]いくつかの場合には、基地局１２０５は１つまたは複数のワイヤードバックホールリンクを有し得る。基地局１２０５は、コアネットワーク１３０へのワイヤードバックホールリンク（たとえば、Ｓ１インターフェースなど）を有し得る。基地局１２０５はまた、基地局間バックホールリンク（たとえば、Ｘ２インターフェース）を介して、基地局１２０５−ａまたは基地局１２０５−ｂなど、他の基地局１０５と通信し得る。基地局１２０５の各々は、同じまたは異なるワイヤレス通信技術を使用してＵＥ１１５と通信し得る。いくつかの場合には、基地局１２０５は、基地局通信構成要素１２２５を利用して他の基地局と通信し得る。いくつかの例では、基地局通信構成要素１２２５は、基地局１０５のうちのいくつかの間の通信を行うために、ロングタームエボリューション（ＬＴＥ）／ＬＴＥワイヤレス通信ネットワーク技術内のＸ２インターフェースを与え得る。いくつかの例では、基地局１２０５は、コアネットワーク１３０を通して他の基地局と通信し得る。いくつかの場合には、基地局１２０５は、ネットワーク通信構成要素１２３０を通してコアネットワーク１３０と通信し得る。
【０１３４】
[0144]基地局１２０５は、プロセッサ１２０６と、（ソフトウェア（ＳＷ）１２２０を含む）メモリ１２１５と、トランシーバ１２３５と、（１つまたは複数の）アンテナ１２４０とを含み得、それらの各々は、（たとえば、バスシステム１２４６を介して）互いと直接または間接的に通信していることがある。トランシーバ１２３５は、（１つまたは複数の）アンテナ１２４０を介して、マルチモードデバイスであり得るＵＥ１１５と双方向に通信するように構成され得る。トランシーバ１２３５（または基地局１２０５の他の構成要素）はまた、アンテナ１２４０を介して、１つまたは複数の他の基地局（図示せず）と双方向に通信するように構成され得る。トランシーバ１２３５は、パケットを変調し、変調されたパケットを送信のためにアンテナ１２４０に与え、アンテナ１２４０から受信されたパケットを復調するように構成されたモデムを含み得る。基地局１２０５は、各々が１つまたは複数の関連するアンテナ１２４０をもつ複数のトランシーバ１２３５を含み得る。トランシーバは、図９の組み合わされた受信機９０５および送信機９１５の一例であり得る。
【０１３５】
[0145]メモリ１２１５はＲＡＭおよびＲＯＭを含み得る。メモリ１２１５は、実行されたとき、プロセッサ１２０６に本明細書で説明される様々な機能（たとえば、ＣＣＡウィンドウ適応、カバレージ拡張技法を選択すること、呼処理、データベース管理、メッセージルーティングなど）を実行させるように構成された命令を含んでいるコンピュータ可読、コンピュータ実行可能ソフトウェアコード１２２０をも記憶し得る。代替的に、ソフトウェア１２２０は、プロセッサ１２０６によって直接的に実行可能でないことがあるが、たとえば、コンパイルされ実行されたとき、コンピュータに本明細書で説明される機能を実行させるように構成され得る。プロセッサ１２０６は、インテリジェントハードウェアデバイス、たとえば、ＣＰＵ、マイクロコントローラ、ＡＳＩＣなどを含み得る。プロセッサ１２０６は、エンコーダ、キュー処理構成要素、ベースバンドプロセッサ、無線ヘッドコントローラ、デジタル信号プロセッサ（ＤＳＰ）など、様々な専用プロセッサを含み得る。
【０１３６】
[0146]基地局通信構成要素１２２５は他の基地局１０５との通信を管理し得る。いくつかの場合には、通信管理構成要素は、他の基地局１０５と協働してＵＥ１１５との通信を制御するためのコントローラまたはスケジューラを含み得る。たとえば、基地局通信構成要素１２２５は、ビームフォーミングまたはジョイント送信などの様々な干渉緩和技法のためのＵＥ１１５への送信のためのスケジューリングを協調させ得る。
【０１３７】
[0147]ワイヤレスデバイス５００、ワイヤレスデバイス６００、およびＣＣＡ適応構成要素５１０、ＵＥ８１５、ワイヤレスデバイス９００、ワイヤレスデバイス１０００、ＢＳ  ＣＣＡ適応構成要素９１０、および基地局１２０５の構成要素は、適用可能な機能の一部または全部をハードウェアで実行するように適応された少なくとも１つのＡＳＩＣを用いて、個々にまたはまとめてインプリメントされ得る。代替的に、それらの機能は、１つまたは複数の他の処理ユニット（またはコア）によって、少なくとも１つのＩＣ上で実行され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、または別のセミカスタムＩＣ）が使用され得る。各ユニットの機能はまた、全体的または部分的に、１つまたは複数の汎用または特定用途向けプロセッサによって実行されるようにフォーマットされた、メモリに組み込まれた命令を用いてインプリメントされ得る。
【０１３８】
[0148]図１３は、本開示の態様による、ＣＣＡウィンドウ適応のための方法１３００を示すフローチャートを示す。方法１３００の動作は、図１〜図１２を参照しながら説明されたように、ＵＥ１１５またはそれの構成要素によってインプリメントされ得る。たとえば、方法１３００の動作は、図５〜図８を参照しながら説明されたように、ＣＣＡ適応構成要素５１０によって実行され得る。いくつかの例では、ＵＥ１１５は、以下で説明される機能を実行するようにＵＥ１１５の機能要素を制御するためのコードのセットを実行し得る。追加または代替として、ＵＥ１１５は、専用ハードウェアを使用して、以下で説明される機能態様を実行し得る。
【０１３９】
[0149]ブロック１３０５において、ＵＥ１１５は、図２〜図４を参照しながら説明されたように、基地局にメッセージを送信し得る。いくつかの例では、基地局にメッセージを送信することは、ダウンリンク送信における少なくとも１つのトランスポートブロックが正常に復号されたことを示すビットを送信すること、またはダウンリンク送信における少なくとも１つのコードブロックが正常に復号されたことを示すビットを送信すること、またはダウンリンク送信中の衝突を示すビットを送信することを含む。いくつかの例では、ブロック１３０５の動作は、図６を参照しながら説明されたように、メッセージ送信構成要素６２０によって実行され得る。
【０１４０】
[0150]ブロック１３１０において、ＵＥ１１５は、図２〜図４を参照しながら説明されたように、基地局から競合ウィンドウサイズを受信し得、したがって、競合ウィンドウサイズは、メッセージに基づいて、第１の競合ウィンドウ調整値に適用される第１の重み付けファクタを使用して計算される。いくつかの例では、ブロック１３１０の動作は、図６を参照しながら説明されたように、ＣＷサイズメッセージング構成要素６２５によって実行され得る。
【０１４１】
[0151]ブロック１３１５において、ＵＥ１１５は、図２〜図４を参照しながら説明されたように、競合ウィンドウサイズに基づいてクリアチャネルアセスメントを実行する。いくつかの例では、ブロック１３１５の動作は、図６を参照しながら説明されたように、ＣＣＡ構成要素６３０によって実行され得る。
【０１４２】
[0152]図１４は、本開示の態様による、ＣＣＡウィンドウ適応のための方法１４００を示すフローチャートを示す。方法１４００の動作は、図１〜図１２を参照しながら説明されたように、基地局１０５またはそれの構成要素によってインプリメントされ得る。たとえば、方法１４００の動作は、図９〜図１２を参照しながら説明されたように、基地局ＣＣＡ適応構成要素９１０によって実行され得る。いくつかの例では、基地局１０５は、以下で説明される機能を実行するように基地局１０５の機能要素を制御するためのコードのセットを実行し得る。追加または代替として、基地局１０５は、専用ハードウェアを使用して、以下で説明される機能態様を実行し得る。方法１４００はまた、図１３の方法１３００の態様を組み込み得る。
【０１４３】
[0153]ブロック１４０５において、基地局１０５は、図２〜図４を参照しながら説明されたように、第１の送信に関連する第１のパラメータを決定し得る。いくつかの例では、ブロック１４０５の動作は、図１０を参照しながら説明されたように、送信パラメータ構成要素１０２０によって実行され得る。
【０１４４】
[0154]ブロック１４１０において、基地局１０５は、図２〜図４を参照しながら説明されたように、第１のパラメータに基づいて第１の競合ウィンドウ調整値を決定し得る。いくつかの例では、ブロック１４１０の動作は、図１０を参照しながら説明されたように、ＣＷ調整パラメータ構成要素１０２５によって実行され得る。
【０１４５】
[0155]ブロック１４１５において、基地局１０５は、図２〜図４を参照しながら説明されたように、第１の競合ウィンドウ調整値に第１の重み付けファクタを適用し得る。いくつかの例では、ブロック１４１５の動作は、図１０を参照しながら説明されたように、ＢＳ  ＣＷ重み付けファクタ構成要素１０３０によって実行され得る。
【０１４６】
[0156]ブロック１４２０において、基地局１０５は、図２〜図４を参照しながら説明されたように、重み付けされた第１の競合ウィンドウ調整値に基づいて、第２の送信のための競合ウィンドウサイズを調整し得る。いくつかの例では、ブロック１４２０の動作は、図１０を参照しながら説明されたように、ＣＷ調整構成要素１０３５によって実行され得る。
【０１４７】
[0157]図１５は、本開示の態様による、ＣＣＡウィンドウ適応のための方法１５００を示すフローチャートを示す。方法１５００の動作は、図１〜図１２を参照しながら説明されたように、基地局１０５またはそれの構成要素によってインプリメントされ得る。たとえば、方法１５００の動作は、図９〜図１２を参照しながら説明されたように、基地局ＣＣＡ適応構成要素９１０によって実行され得る。いくつかの例では、基地局１０５は、以下で説明される機能を実行するように基地局１０５の機能要素を制御するためのコードのセットを実行し得る。追加または代替として、基地局１０５は、専用ハードウェアを使用して、以下で説明される機能態様を実行し得る。方法１５００はまた、図１３〜図１４の方法１３００、および１４００の態様を組み込み得る。
【０１４８】
[0158]ブロック１５０５において、基地局１０５は、図２〜図４を参照しながら説明されたように、第１の送信に関連する第１のパラメータを決定し得る。いくつかの例では、ブロック１５０５の動作は、図１０を参照しながら説明されたように、送信パラメータ構成要素１０２０によって実行され得る。
【０１４９】
[0159]ブロック１５１０において、基地局１０５は、図２〜図４を参照しながら説明されたように、第１のパラメータに基づいて第１の競合ウィンドウ調整値を決定し得る。いくつかの場合には、第１のパラメータは、１つまたは複数の送信機会についてのＨＡＲＱフィードバックを含む。いくつかの例では、ブロック１５１０の動作は、図１０を参照しながら説明されたように、ＣＷ調整パラメータ構成要素１０２５によって実行され得る。
【０１５０】
[0160]ブロック１５１５において、基地局１０５は、図２〜図４を参照しながら説明されたように、第１の競合ウィンドウ調整値に第１の重み付けファクタを適用し得る。いくつかの例では、ブロック１５１５の動作は、図１０を参照しながら説明されたように、ＢＳ  ＣＷ重み付けファクタ構成要素１０３０によって実行され得る。
【０１５１】
[0161]ブロック１５２０において、基地局１０５は、図２〜図４を参照しながら説明されたように、重み付けされた第１の競合ウィンドウ調整値に基づいて、第２の送信のための競合ウィンドウサイズを調整し得る。いくつかの例では、ブロック１５２０の動作は、図１０を参照しながら説明されたように、ＣＷ調整構成要素１０３５によって実行され得る。
【０１５２】
[0162]図１６は、本開示の態様による、ＣＣＡウィンドウ適応のための方法１６００を示すフローチャートを示す。方法１６００の動作は、図１〜図１２を参照しながら説明されたように、基地局１０５またはそれの構成要素によってインプリメントされ得る。たとえば、方法１６００の動作は、図９〜図１２を参照しながら説明されたように、基地局ＣＣＡ適応構成要素９１０によって実行され得る。いくつかの例では、基地局１０５は、以下で説明される機能を実行するように基地局１０５の機能要素を制御するためのコードのセットを実行し得る。追加または代替として、基地局１０５は、専用ハードウェアを使用して、以下で説明される機能態様を実行し得る。方法１６００はまた、図１３〜図１５の方法１３００、１４００、および１５００の態様を組み込み得る。
【０１５３】
[0163]ブロック１６０５において、基地局１０５は、図２〜図４を参照しながら説明されたように、第１の送信に関連する第１のパラメータを決定し得る。いくつかの場合には、第１のパラメータは、少なくとも１つの報告されない肯定応答を含む。いくつかの例では、ブロック１６０５の動作は、図１０を参照しながら説明されたように、送信パラメータ構成要素１０２０によって実行され得る。
【０１５４】
[0164]ブロック１６１０において、基地局１０５は、図２〜図４を参照しながら説明されたように、第１のパラメータに基づいて第１の競合ウィンドウ調整値を決定し得る。いくつかの例では、ブロック１６１０の動作は、図１０を参照しながら説明されたように、ＣＷ調整パラメータ構成要素１０２５によって実行され得る。
【０１５５】
[0165]ブロック１６１５において、基地局１０５は、図２〜図４を参照しながら説明されたように、第１の競合ウィンドウ調整値に第１の重み付けファクタを適用し得る。いくつかの例では、ブロック１６１５の動作は、図１０を参照しながら説明されたように、ＢＳ  ＣＷ重み付けファクタ構成要素１０３０によって実行され得る。
【０１５６】
[0166]ブロック１６２０において、基地局１０５は、図２〜図４を参照しながら説明されたように、重み付けされた第１の競合ウィンドウ調整値に基づいて、第２の送信のための競合ウィンドウサイズを調整し得る。いくつかの例では、ブロック１６２０の動作は、図１０を参照しながら説明されたように、ＣＷ調整構成要素１０３５によって実行され得る。
【０１５７】
[0167]図１７は、本開示の態様による、ＣＣＡウィンドウ適応のための方法１７００を示すフローチャートを示す。方法１７００の動作は、図１〜図１２を参照しながら説明されたように、基地局１０５またはそれの構成要素によってインプリメントされ得る。たとえば、方法１７００の動作は、図９〜図１２を参照しながら説明されたように、基地局ＣＣＡ適応構成要素９１０によって実行され得る。いくつかの例では、基地局１０５は、以下で説明される機能を実行するように基地局１０５の機能要素を制御するためのコードのセットを実行し得る。追加または代替として、基地局１０５は、専用ハードウェアを使用して、以下で説明される機能態様を実行し得る。方法１７００はまた、図１３〜図１６の方法１３００、１４００、１５００、および１６００の態様を組み込み得る。
【０１５８】
[0168]ブロック１７０５において、基地局１０５は、図２〜図４を参照しながら説明されたように、第１の送信に関連する第１のパラメータを決定し得る。いくつかの場合には、第１のパラメータを決定することは、ＰＵＣＣＨが正常に復号されているかどうかを決定することを含む。いくつかの例では、ブロック１７０５の動作は、図１０を参照しながら説明されたように、送信パラメータ構成要素１０２０によって実行され得る。
【０１５９】
[0169]ブロック１７１０において、基地局１０５は、図２〜図４を参照しながら説明されたように、第１のパラメータに基づいて第１の競合ウィンドウ調整値を決定し得る。いくつかの例では、ブロック１７１０の動作は、図１０を参照しながら説明されたように、ＣＷ調整パラメータ構成要素１０２５によって実行され得る。
【０１６０】
[0170]ブロック１７１５において、基地局１０５は、図２〜図４を参照しながら説明されたように、第１の競合ウィンドウ調整値に第１の重み付けファクタを適用し得る。いくつかの例では、ブロック１７１５の動作は、図１０を参照しながら説明されたように、ＢＳ  ＣＷ重み付けファクタ構成要素１０３０によって実行され得る。
【０１６１】
[0171]ブロック１７２０において、基地局１０５は、図２〜図４を参照しながら説明されたように、重み付けされた第１の競合ウィンドウ調整値に基づいて、第２の送信のための競合ウィンドウサイズを調整し得る。いくつかの場合には、競合ウィドウサイズはＵＬ送信機会に対応する。いくつかの例では、ブロック１７２０の動作は、図１０を参照しながら説明されたように、ＣＷ調整構成要素１０３５によって実行され得る。
【０１６２】
[0172]ブロック１７２５において、基地局１０５は、図２〜図４を参照しながら説明されたように、ＵＬ送信機会より前にＵＥに競合ウィンドウサイズを送信し得る。いくつかの例では、ブロック１７２５の動作は、図１１を参照しながら説明されたように、ＢＳ  ＣＷサイズメッセージング構成要素１１４０によって実行され得る。
【０１６３】
[0173]図１８は、本開示の態様による、ＣＣＡウィンドウ適応のための方法１８００を示すフローチャートを示す。方法１８００の動作は、図１〜図１２を参照しながら説明されたように、基地局１０５またはそれの構成要素によってインプリメントされ得る。たとえば、方法１８００の動作は、図９〜図１２を参照しながら説明されたように、基地局ＣＣＡ適応構成要素９１０によって実行され得る。いくつかの例では、基地局１０５は、以下で説明される機能を実行するように基地局１０５の機能要素を制御するためのコードのセットを実行し得る。追加または代替として、基地局１０５は、専用ハードウェアを使用して、以下で説明される機能態様を実行し得る。方法１８００はまた、図１３〜図１７の方法１３００、１４００、１５００、１６００、および１７００の態様を組み込み得る。
【０１６４】
[0174]ブロック１８０５において、基地局１０５は、図２〜図４を参照しながら説明されたように、第１の送信に関連する第１のパラメータを決定し得る。いくつかの例では、ブロック１８０５の動作は、図１０を参照しながら説明されたように、送信パラメータ構成要素１０２０によって実行され得る。
【０１６５】
[0175]ブロック１８１０において、基地局１０５は、図２〜図４を参照しながら説明されたように、第１のパラメータに基づいて第１の競合ウィンドウ調整値を決定し得る。いくつかの例では、ブロック１８１０の動作は、図１０を参照しながら説明されたように、ＣＷ調整パラメータ構成要素１０２５によって実行され得る。
【０１６６】
[0176]ブロック１８１５において、基地局１０５は、図２〜図４を参照しながら説明されたように、第１の競合ウィンドウ調整値に第１の重み付けファクタを適用し得る。いくつかの例では、ブロック１８１５の動作は、図１０を参照しながら説明されたように、ＢＳ  ＣＷ重み付けファクタ構成要素１０３０によって実行され得る。
【０１６７】
[0177]ブロック１８２０において、基地局１０５は、図２〜図４を参照しながら説明されたように、第２の送信に関連する第２のパラメータを決定し得る。いくつかの例では、ブロック１８２０の動作は、図１０を参照しながら説明されたように、送信パラメータ構成要素１０２０によって実行され得る。
【０１６８】
[0178]ブロック１８２５において、基地局１０５は、図２〜図４を参照しながら説明されたように、第２のパラメータに基づいて第２の競合ウィンドウ調整値を決定し得る。いくつかの例では、ブロック１８２５の動作は、図１０を参照しながら説明されたように、ＣＷ調整パラメータ構成要素１０２５によって実行され得る。
【０１６９】
[0179]ブロック１８３０において、基地局１０５は、図２〜図４を参照しながら説明されたように、第２のウィンドウ調整値に第２の重み付けファクタを適用し得、したがって、競合ウィンドウサイズは、重み付けされた第２の競合ウィンドウ調整値に基づいて調整される。いくつかの例では、ブロック１８３０の動作は、図１０を参照しながら説明されたように、ＣＷ調整構成要素１０３５によって実行され得る。
【０１７０】
[0180]ブロック１８３５において、基地局１０５は、図２〜図４を参照しながら説明されたように、重み付けされた第１の競合ウィンドウ調整値に基づいて、第２の送信のための競合ウィンドウサイズを調整し得る。いくつかの例では、ブロック１８３５の動作は、図１０を参照しながら説明されたように、ＣＷ調整構成要素１０３５によって実行され得る。
【０１７１】
[0181]図１９は、本開示の態様による、ＣＣＡウィンドウ適応のための方法１９００を示すフローチャートを示す。方法１９００の動作は、図１〜図１２を参照しながら説明されたように、基地局１０５またはそれの構成要素によってインプリメントされ得る。たとえば、方法１９００の動作は、図９〜図１２を参照しながら説明されたように、基地局ＣＣＡ適応構成要素９１０によって実行され得る。いくつかの例では、基地局１０５は、以下で説明される機能を実行するように基地局１０５の機能要素を制御するためのコードのセットを実行し得る。追加または代替として、基地局１０５は、専用ハードウェアを使用して、以下で説明される機能態様を実行し得る。方法１９００はまた、図１３〜図１８の方法１３００、１４００、１５００、１６００、１７００、および１８００の態様を組み込み得る。
【０１７２】
[0182]ブロック１９０５において、基地局１０５は、図２〜図４を参照しながら説明されたように、第１の送信に関連する第１のパラメータを決定し得る。いくつかの例では、ブロック１９０５の動作は、図１０を参照しながら説明されたように、送信パラメータ構成要素１０２０によって実行され得る。
【０１７３】
[0183]ブロック１９１０において、基地局１０５は、図２〜図４を参照しながら説明されたように、第１のパラメータに基づいて第１の競合ウィンドウ調整値を決定し得る。いくつかの例では、ブロック１９１０の動作は、図１０を参照しながら説明されたように、ＣＷ調整パラメータ構成要素１０２５によって実行され得る。
【０１７４】
[0184]ブロック１９１５において、基地局１０５は、図２〜図４を参照しながら説明されたように、第１の競合ウィンドウ調整値に第１の重み付けファクタを適用し得る。いくつかの例では、ブロック１９１５の動作は、図１０を参照しながら説明されたように、ＢＳ  ＣＷ重み付けファクタ構成要素１０３０によって実行され得る。
【０１７５】
[0185]ブロック１９２０において、基地局１０５は、図２〜図４を参照しながら説明されたように、重み付けされた第１の競合ウィンドウ調整値に基づいて、第２の送信のための競合ウィンドウサイズを調整し得る。いくつかの例では、ブロック１９２０の動作は、図１０を参照しながら説明されたように、ＣＷ調整構成要素１０３５によって実行され得る。
【０１７６】
[0186]ブロック１９２５において、基地局１０５は、図２〜図４を参照しながら説明されたように、競合ウィンドウサイズに基づいてクリアチャネルアセスメントを実行し得る。いくつかの例では、ブロック１９２５の動作は、図６を参照しながら説明されたように、ＣＣＡ構成要素６３０によって実行され得る。
【０１７７】
[0187]図２０は、本開示の態様による、ＣＣＡウィンドウ適応のための方法２０００を示すフローチャートを示す。方法２０００の動作は、図１〜図１２を参照しながら説明されたように、基地局１０５またはそれの構成要素によってインプリメントされ得る。たとえば、方法２０００の動作は、図９〜図１２を参照しながら説明されたように、基地局ＣＣＡ適応構成要素９１０によって実行され得る。いくつかの例では、基地局１０５は、以下で説明される機能を実行するように基地局１０５の機能要素を制御するためのコードのセットを実行し得る。追加または代替として、基地局１０５は、専用ハードウェアを使用して、以下で説明される機能態様を実行し得る。方法２０００はまた、図１３〜図１９の方法１３００、１４００、１５００、１６００、１７００、１８００、および１９００の態様を組み込み得る。
【０１７８】
[0188]ブロック２００５において、基地局１０５は、図２〜図４を参照しながら説明されたように、第１の送信に関連する第１のパラメータを決定し得、ここで、パラメータは、１つまたは複数のキャリアについてのＨＡＲＱフィードバックを含む。いくつかの例では、ブロック２００５の動作は、図１０を参照しながら説明されたように、送信パラメータ構成要素１０２０によって実行され得る。
【０１７９】
[0189]ブロック２０１０において、基地局１０５は、図２〜図４を参照しながら説明されたように、キャリアの各々についてのＨＡＲＱフィードバックに基づいて、第１の競合ウィンドウ調整値を決定し得る。いくつかの例では、ブロック２０１０の動作は、図１０を参照しながら説明されたように、ＣＷ調整パラメータ構成要素１０２５によって実行され得る。
【０１８０】
[0190]ブロック２０１５において、基地局１０５は、図２〜図４を参照しながら説明されたように、第１の競合ウィンドウ調整値に第１の重み付けファクタを適用し得る。いくつかの例では、ブロック２０１５の動作は、図１０を参照しながら説明されたように、ＢＳ  ＣＷ重み付けファクタ構成要素１０３０によって実行され得る。
【０１８１】
[0191]ブロック２０２０において、基地局１０５は、図２〜図４を参照しながら説明されたように、重み付けされた第１の競合ウィンドウ調整値に基づいて、第２の送信のために各キャリアについて競合ウィンドウサイズを調整し得る。いくつかの例では、ブロック２０２０の動作は、図１０を参照しながら説明されたように、ＣＷ調整構成要素１０３５によって実行され得る。
【０１８２】
[0192]図２１は、本開示の態様による、ＣＣＡウィンドウ適応のための方法２１００を示すフローチャートを示す。方法２１００の動作は、図１〜図１２を参照しながら説明されたように、基地局１０５またはそれの構成要素によってインプリメントされ得る。たとえば、方法２１００の動作は、図９〜図１２を参照しながら説明されたように、基地局ＣＣＡ適応構成要素９１０によって実行され得る。いくつかの例では、基地局１０５は、以下で説明される機能を実行するように基地局１０５の機能要素を制御するためのコードのセットを実行し得る。追加または代替として、基地局１０５は、専用ハードウェアを使用して、以下で説明される機能態様を実行し得る。方法２１００はまた、図１３〜図２０の方法１３００、１４００、１５００、１６００、１７００、１８００、１９００、および２０００の態様を組み込み得る。
【０１８３】
[0193]ブロック２１０５において、基地局１０５は、図２〜図４を参照しながら説明されたように、第１の送信に関連する第１のパラメータを決定し得、ここで、パラメータは、基地局によってサービスされる各ＵＥからのＡＣＫまたはＮＡＣＫインジケーションを含む。いくつかの例では、ブロック２１０５の動作は、図１０を参照しながら説明されたように、送信パラメータ構成要素１０２０によって実行され得る。
【０１８４】
[0194]ブロック２１１０において、基地局１０５は、図２〜図４を参照しながら説明されたように、基地局によってサービスされる各ＵＥからＡＣＫが受信されたと決定し得る。いくつかの例では、ブロック２１１０の動作は、図１０を参照しながら説明されたように、ＣＷ調整パラメータ構成要素１０２５によって実行され得る。
【０１８５】
[0195]ブロック２１１５において、基地局１０５は、図２〜図４を参照しながら説明されたように、競合ウィンドウサイズをリセットし得る。いくつかの例では、ブロック２１１５の動作は、図１０を参照しながら説明されたように、ＣＷ調整構成要素１０３５によって実行され得る。
【０１８６】
[0196]したがって、方法１３００、１４００、１５００、１６００、１７００、１８００、１９００、２０００、および２１００は、ＣＣＡウィンドウ適応を与え得る。方法１３００、１４００、１５００、１６００、１７００、１８００、および１９００は可能なインプリメンテーションを表すこと、ならびに動作およびステップは、他のインプリメンテーションが可能であるように、並べ替えられ得るかまたは場合によっては変更され得ることに留意されたい。いくつかの例では、方法１３００、１４００、１５００、１６００、１７００、１８００、および１９００のうちの２つまたはそれ以上からの態様が組み合わされ得る。
【０１８７】
[0197]本明細書の説明は、例を与えるものであり、特許請求の範囲に記載される範囲、適用可能性、または例を限定するものではない。本開示の範囲から逸脱することなく、説明される要素の機能および構成において変更が行われ得る。様々な例は、適宜に様々なプロシージャまたは構成要素を省略、置換、または追加し得る。また、いくつかの例に関して説明される特徴は、他の例において組み合わされ得る。
【０１８８】
[0198]本明細書で説明された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語はしばしば互換的に使用される。符号分割多元接続（ＣＤＭＡ）システムは、ＣＤＭＡ２０００、ユニバーサル地上波無線アクセス（ＵＴＲＡ）などの無線技術をインプリメントし得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標）：Wideband CDMA）およびＣＤＭＡの他の変形態を含む。時分割多元接続（ＴＤＭＡ）システムは、モバイル通信用グローバルシステム（ＧＳＭ（登録商標））などの無線技術をインプリメントし得る。直交周波数分割多元接続（ＯＦＤＭＡ）システムは、ウルトラモバイルブロードバンド（ＵＭＢ）、発展型ＵＴＲＡ（Ｅ−ＵＴＲＡ：Evolved UTRA）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭなどの無線技術をインプリメントし得る。ＵＴＲＡおよびＥ−ＵＴＲＡは、ユニバーサルモバイルテレコミュニケーションズシステム（ＵＭＴＳ：Universal Mobile Telecommunications system）の一部である。３ＧＰＰ（登録商標）ロングタームエボリューション（ＬＴＥ）およびＬＴＥアドバンスト（ＬＴＥ）は、Ｅ−ＵＴＲＡを使用するユニバーサルモバイルテレコミュニケーションズシステム（ＵＭＴＳ）の新しいリリースである。ＵＴＲＡ、Ｅ−ＵＴＲＡ、ユニバーサルモバイルテレコミュニケーションズシステム（ＵＭＴＳ）、ＬＴＥ、ＬＴＥ、およびモバイル通信用グローバルシステム（ＧＳＭ）は、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明される技法は、上記のシステムおよび無線技術、ならびに他のシステムおよび無線技術のために使用され得る。ただし、本明細書の説明は、例としてＬＴＥシステムを説明し、上記の説明の大部分においてＬＴＥ用語が使用されるが、本技法はＬＴＥ適用例以外に適用可能である。
【０１８９】
[0199]本明細書で説明されるそのようなネットワークを含む、ＬＴＥ／ＬＴＥネットワークでは、発展型ノードＢ（ｅＮＢ）という用語は、たとえば、基地局を表すために使用され得る。本明細書で説明される１つまたは複数のワイヤレス通信システムは、異なるタイプの発展型ノードＢ（ｅＮＢ）が様々な地理的領域にカバレージを与える異種ＬＴＥ／ＬＴＥネットワークを含み得る。たとえば、各ｅＮＢまたは基地局は、マクロセル、スモールセル、または他のタイプのセルに通信カバレージを与え得る。「セル」という用語は、コンテキストに応じて、基地局、基地局に関連するキャリアまたはコンポーネントキャリア、あるいはキャリアまたは基地局のカバレージエリア（たとえば、セクタなど）を表すために使用され得る３ＧＰＰ用語である。
【０１９０】
[0200]基地局は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語を含み得るか、またはそのように当業者によって呼ばれることがある。基地局のための地理的カバレージエリアは、カバレージエリアの一部分のみを構成するセクタに分割され得る。本明細書で説明される１つまたは複数のワイヤレス通信システムは、異なるタイプの基地局（たとえば、マクロセル基地局またはスモールセル基地局）を含み得る。本明細書で説明されるＵＥは、マクロｅＮＢ、スモールセルｅＮＢ、リレー基地局などを含む、様々なタイプの基地局およびネットワーク機器と通信することが可能であり得る。異なる技術のための重複する地理的カバレージエリアがあり得る。
【０１９１】
[0201]マクロセルは、概して、比較的大きい地理的エリア（たとえば、半径数キロメートル）をカバーし、ネットワークプロバイダのサービスに加入しているＵＥによる無制限アクセスを可能にし得る。スモールセルは、マクロセルと比較して、マクロセルと同じまたは異なる（たとえば、ライセンスされている、ライセンスされていないなどの）周波数帯域内で動作し得る、低電力基地局である。スモールセルは、様々な例によれば、ピコセル、フェムトセル、およびマイクロセルを含み得る。ピコセルは、たとえば、小さい地理的エリアをカバーし得、ネットワークプロバイダのサービスに加入しているＵＥによる無制限アクセスを可能にし得る。フェムトセルは、小さい地理的エリア（たとえば、自宅）を同じくカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢ、またはホームｅＮＢと呼ばれることがある。ｅＮＢは、１つまたは複数の（たとえば、２つ、３つ、４つなどの）セル（たとえば、コンポーネントキャリア）をサポートし得る。ＵＥは、マクロｅＮＢ、スモールセルｅＮＢ、リレー基地局などを含む、様々なタイプの基地局およびネットワーク機器と通信することが可能であり得る。
【０１９２】
[0202]本明細書で説明される１つまたは複数のワイヤレス通信システムは、同期動作または非同期動作をサポートし得る。同期動作の場合、基地局は同様のフレームタイミングを有し得、異なる基地局からの送信は近似的に時間的にアラインされ（be approximately aligned in time）得る。非同期動作の場合、基地局は異なるフレームタイミングを有し得、異なる基地局からの送信は時間的にアラインされないことがある。本明細書で説明される技法は、同期動作または非同期動作のいずれかのために使用され得る。
【０１９３】
[0203]本明細書で説明されるダウンリンク送信は順方向リンク送信と呼ばれることもあり、アップリンク送信は逆方向リンク送信と呼ばれることもある。たとえば、図１および図２のワイヤレス通信システム１００およびワイヤレス通信サブシステム２００を含む、本明細書で説明される各通信リンクは、１つまたは複数のキャリアを含み得、ここで、各キャリアは、複数のサブキャリアからなる信号（たとえば、異なる周波数の波形信号）であり得る。各被変調信号は、異なるサブキャリア上で送られ得、制御情報（たとえば、基準信号、制御チャネルなど）、オーバーヘッド情報、ユーザデータなどを搬送し得る。本明細書で説明される通信リンク（たとえば、図１の通信リンク１２５）は、周波数分割複信（ＦＤＤ）動作を使用して（たとえば、対（paired）スペクトルリソースを使用して）または時分割複信（ＴＤＤ）動作を使用して（たとえば、不対（unpaired）スペクトルリソースを使用して）双方向通信を送信し得る。周波数分割複信（ＦＤＤ）（たとえば、フレーム構造タイプ１）およびＴＤＤ（たとえば、フレーム構造タイプ２）のためのフレーム構造が定義され得る。
【０１９４】
[0204]添付の図面に関して本明細書に記載される説明は、例示的な構成について説明しており、インプリメントされ得るまたは特許請求の範囲内に入るすべての例を表すとは限らない。本明細書で使用される「例示的」という用語は、「例、事例、または例示の働きをすること」を意味し、「好ましい」または「他の例よりも有利な」を意味しない。詳細な説明は、説明される技法の理解を与えるための具体的な詳細を含む。ただし、これらの技法は、これらの具体的な詳細なしに実施され得る。いくつかの事例では、説明された例の概念を不明瞭にすることを回避するために、よく知られている構造およびデバイスがブロック図の形式で示される。
【０１９５】
[0205]添付の図では、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のいずれにも適用可能である。
【０１９６】
[0206]本明細書で説明される情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１９７】
[0207]本明細書の開示に関して説明された様々な例示的なブロックおよび構成要素は、汎用プロセッサ、ＤＳＰ、ＡＳＩＣ、ＦＰＧＡまたは他のプログラマブル論理デバイス、個別ゲートまたはトランジスタ論理、個別ハードウェア構成要素、あるいは本明細書で説明された機能を実行するように設計されたそれらの任意の組合せを用いてインプリメントまたは実行され得る。汎用プロセッサはマイクロプロセッサであり得るが、代替として、プロセッサは任意の従来のプロセッサ、コントローラ、マイクロコントローラ、または状態機械であり得る。プロセッサは、コンピューティングデバイスの組合せ（たとえば、デジタル信号プロセッサ（ＤＳＰ）とマイクロプロセッサとの組合せ、複数のマイクロプロセッサ、ＤＳＰコアと連携する１つまたは複数のマイクロプロセッサ、または任意の他のそのような構成）としてもインプリメントされ得る。
【０１９８】
[0208]本明細書で説明された機能は、ハードウェア、プロセッサによって実行されるソフトウェア、ファームウェア、またはそれらの任意の組合せでインプリメントされ得る。プロセッサによって実行されるソフトウェアでインプリメントされる場合、機能は、１つまたは複数の命令またはコードとしてコンピュータ可読媒体上に記憶され得るか、またはコンピュータ可読媒体を介して送信され得る。他の例およびインプリメンテーションは、本開示の範囲内および添付の特許請求の範囲内に入る。たとえば、ソフトウェアの性質により、上記で説明された機能は、プロセッサによって実行されるソフトウェア、ハードウェア、ファームウェア、ハードワイヤリング、またはこれらのいずれかの組合せを使用してインプリメントされ得る。機能をインプリメントする特徴はまた、機能の部分が、異なる物理的ロケーションにおいてインプリメントされるように分散されることを含めて、様々な位置に物理的に配置され得る。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、Ａ、Ｂ、またはＣのうちの少なくとも１つの列挙が、ＡまたはＢまたはＣまたはＡＢまたはＡＣまたはＢＣまたはＡＢＣ（すなわち、ＡおよびＢおよびＣ）を意味するような包括的列挙を示す。
【０１９９】
[0209]コンピュータ可読媒体は、ある場所から別の場所へのコンピュータプログラムの転送を可能にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の非一時的媒体を含むことができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、デジタル加入者回線（ＤＳＬ）、または赤外線、無線、およびマイクロ波などのワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０２００】
[0210]本明細書の説明は、当業者が本開示を作成または使用することができるように与えられる。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示された原理および新規の特徴に合致する最も広い範囲を与えられるべきである。
以下に、本願出願の当初の特許請求の範囲に記載された発明を付記する。
［Ｃ１］
第１の送信に関連する第１のパラメータを決定することと、
前記第１のパラメータに少なくとも部分的に基づいて、第１の競合ウィンドウ調整値を決定することと、
前記第１の競合ウィンドウ調整値に第１の重み付けファクタを適用することと、
前記重み付けされた第１の競合ウィンドウ調整値に少なくとも部分的に基づいて、第２の送信のための競合ウィンドウサイズを調整することと、
を備える、ワイヤレス通信のための方法。
［Ｃ２］
前記第１のパラメータが、１つまたは複数の送信機会のためのハイブリッド自動再送要求（ＨＡＲＱ）フィードバックを備える、Ｃ１に記載の方法。
［Ｃ３］
前記第１の競合ウィンドウ調整値が、前記ＨＡＲＱフィードバック中の否定応答（ＮＡＣＫ）の数に少なくとも部分的に基づく、Ｃ２に記載の方法。
［Ｃ４］
前記第１の重み付けファクタは、前記ＨＡＲＱフィードバックが多重化モードにあるかどうかに少なくとも部分的に基づく、Ｃ３に記載の方法。
［Ｃ５］
前記多重化モードでの肯定応答（ＡＣＫ）またはＮＡＣＫの数を報告することをさらに備え、ここにおいて、前記第１の重み付けファクタが、前記ＨＡＲＱフィードバック中のＮＡＣＫの前記数に少なくとも部分的に基づく、
Ｃ４に記載の方法。
［Ｃ６］
前記第１の競合ウィンドウ調整値を決定することが、ルックアップテーブルを使用して前記第１の競合ウィンドウ調整値を決定することを備え、ここにおいて、前記ルックアップテーブルが、前記第１の送信のフレーム構造に少なくとも部分的に基づく、Ｃ３に記載の方法。
［Ｃ７］
前記第１の送信がライセンスされているスペクトル中にある、Ｃ２に記載の方法。
［Ｃ８］
前記第１のパラメータが、前記第１の送信のフレーム構造に少なくとも部分的に基づく、Ｃ１に記載の方法。
［Ｃ９］
前記第１のパラメータが、少なくとも１つの報告されない肯定応答を備える、Ｃ１に記載の方法。
［Ｃ１０］
報告されるＮＡＣＫの場合とは別様に、前記少なくとも１つの報告されない肯定応答について前記第１の競合ウィンドウ調整値に前記第１の重み付けファクタを適用すること
をさらに備える、Ｃ９に記載の方法。
［Ｃ１１］
報告されるＮＡＣＫと同様にして、前記少なくとも１つの報告されない肯定応答について前記第１の競合ウィンドウ調整値に前記第１の重み付けファクタを適用すること
をさらに備える、Ｃ９に記載の方法。
［Ｃ１２］
前記競合ウィドウサイズがアップリンク（ＵＬ）送信機会に対応し、
１つまたは複数のキャリア上で前記第１の送信を送信すること、
Ｃ１に記載の方法。
［Ｃ１３］
前記第１のパラメータを決定することは、物理アップリンク制御チャネル（ＰＵＣＣＨ）が正常に復号されたかどうかを決定することを備える、Ｃ１２に記載の方法。
［Ｃ１４］
前記競合ウィンドウサイズは、前記ＵＬ送信機会が、自己スケジュールされるのかクロスキャリアスケジュールされるのかに少なくとも部分的に基づいて調整される、Ｃ１２に記載の方法。
［Ｃ１５］
前記競合ウィンドウサイズが前記１つまたは複数のキャリアについて異なる、Ｃ１２に記載の方法。
［Ｃ１６］
各キャリアについてハイブリッド自動再送要求（ＨＡＲＱ）フィードバックを通して否定応答（ＮＡＣＫ）の数を受信することと、
すべてのキャリアについてＮＡＣＫの前記数に少なくとも部分的に基づいて前記第１の競合ウィンドウ調整値を決定することと、
すべてのキャリアについて第２の送信のための前記競合ウィンドウサイズを調整することと、ここにおいて、前記競合ウィンドウサイズがすべてのキャリアについて同じである、
をさらに備える、Ｃ１２に記載の方法。
［Ｃ１７］
前記１つまたは複数のキャリアが、１次キャリアと１つまたは複数の２次キャリアとを備え、前記方法が、前記１次キャリアに関連するバックオフタイマーを開始することをさらに備え、ここにおいて、前記バックオフタイマーが前記１つまたは複数の２次キャリアに適用される、Ｃ１２に記載の方法。
［Ｃ１８］
前記１つまたは複数の２次キャリアが、前記１次キャリアに対して所定の周波数分離内にある、Ｃ１７に記載の方法。
［Ｃ１９］
前記１つまたは複数の２次キャリアがライセンスされていない情報インフラストラクチャ無線帯域中にある、Ｃ１７に記載の方法。
［Ｃ２０］
２次キャリアの総数が、前記重み付けされた第２の競合ウィンドウ調整値に少なくとも部分的に基づいて調整された所定の数よりも少ない、Ｃ１７に記載の方法。
［Ｃ２１］
前記競合ウィンドウサイズに少なくとも部分的に基づいて、クリアチャネルアセスメントを実行すること
をさらに備える、Ｃ１に記載の方法。
［Ｃ２２］
前記第１の競合ウィンドウ調整値に対応する送信機会に少なくとも部分的に基づいて、前記第１の競合ウィンドウ調整値に前記第１の重み付けファクタを適用すること
をさらに備える、Ｃ１に記載の方法。
［Ｃ２３］
前記第１の競合ウィンドウ調整値に前記第１の重み付けファクタを適用することは、前記対応する送信機会が時間期間外にある前記第１の競合ウィンドウ調整値に、０の第１の重み付けファクタを適用することを備える、Ｃ２２に記載の方法。
［Ｃ２４］
無限インパルス応答フィルタに少なくとも部分的に基づいて、前記第１の競合ウィンドウ調整値に前記第１の重み付けファクタを適用すること
をさらに備える、Ｃ２２に記載の方法。
［Ｃ２５］
前記第１のパラメータに関連するユーザ機器（ＵＥ）に少なくとも部分的に基づいて、前記第１の競合ウィンドウ調整値に前記第１の重み付けファクタを適用すること
をさらに備える、Ｃ１に記載の方法。
［Ｃ２６］
前記第１のパラメータに関連する許可が有効な許可であるかどうかに少なくとも部分的に基づいて、前記第１の競合ウィンドウ調整値に前記第１の重み付けファクタを適用すること
をさらに備える、Ｃ１に記載の方法。
［Ｃ２７］
前記第１の競合ウィンドウ調整値に前記第１の重み付けファクタを適用すること
をさらに備える、Ｃ１に記載の方法。
［Ｃ２８］
前記第１の送信のキャリアとは異なるキャリア上で前記第２の送信を送信することと、
前記競合ウィンドウサイズをリセットすることを控えることと、
をさらに備える、Ｃ１に記載の方法。
［Ｃ２９］
前記第１の送信が１つまたは複数のＵＥに送られ、前記方法が、前記競合ウィンドウサイズをリセットすることをさらに備える、Ｃ１に記載の方法。
［Ｃ３０］
前記競合ウィンドウサイズをリセットすることが、前記第２の送信の後の経過持続時間に少なくとも部分的に基づく、
をさらに備える、Ｃ２９に記載の方法。
［Ｃ３１］
前記第１の送信に関連する前記第１のパラメータを決定することが、前記第１の送信に少なくとも部分的に基づいて、１つまたは複数のＵＥの各々から少なくとも１つの肯定応答（ＡＣＫ）インジケーションを受信することをさらに備える、Ｃ１に記載の方法。
［Ｃ３２］
前記第１の送信に少なくとも部分的に基づいて、肯定応答（ＡＣＫ）および否定応答（ＮＡＣＫ）インジケーションを受信することと、
前記第１の送信に関連する前記第１のパラメータを決定することと、ここにおいて、前記第１のパラメータが、サポートされるユーザ機器（ＵＥ）の総数に対するＡＣＫの割合を含む、
をさらに備える、Ｃ１に記載の方法。
［Ｃ３３］
前記第１のパラメータに関連する、送信機会のサイズまたはリソース割振りに少なくとも部分的に基づいて、前記第１の競合ウィンドウ調整値に前記第１の重み付けファクタを適用すること
をさらに備える、Ｃ１に記載の方法。
［Ｃ３４］
１つまたは複数のＵＥの各々から少なくとも１つのＡＣＫインジケーションを受信すること
をさらに備える、Ｃ１に記載の方法。
［Ｃ３５］
前記第１のパラメータに関連するブロックエラーレート（ＢＬＥＲ）ターゲットに少なくとも部分的に基づいて、前記第１の競合ウィンドウ調整値に前記第１の重み付けファクタを適用すること
をさらに備える、Ｃ１に記載の方法。
［Ｃ３６］
ＵＥの数がしきい値よりも大きく、前記方法が、所定の割合のＵＥから少なくとも１つのＡＣＫインジケーションを受信することをさらに備える、Ｃ１に記載の方法。
［Ｃ３７］
前記第１の送信が１つまたは複数のＵＥに送られ、前記方法が、前記１つまたは複数のＵＥのための前記競合ウィンドウサイズに少なくとも部分的に基づいて、前記１つまたは複数のＵＥをＵＥの１つまたは複数のグループに分割することをさらに備え、
前記方法が、ＵＥの前記１つまたは複数のグループのためのカウンタをランダムに生成することと、
ＵＥの前記１つまたは複数のグループのための前記カウンタを開始することと、
それらのカウンタが満了したＵＥのグループに前記第２の送信を送信することと、
をさらに備える、Ｃ１に記載の方法。
［Ｃ３８］
ＵＥの２つまたはそれ以上のグループからＵＥの第１のグループをランダムに選定することと、ここにおいて、ＵＥの前記２つまたはそれ以上のグループの前記カウンタが同じ値である、
ＵＥの前記第１のグループに前記第２の送信を送信することと、
をさらに備える、Ｃ３７に記載の方法。
［Ｃ３９］
前記第２の送信の後に、ＵＥの前記１つまたは複数のグループのための前記カウンタをランダムに再生成すること
をさらに備える、Ｃ３７に記載の方法。
［Ｃ４０］
それらのカウンタが満了したＵＥの前記グループのための前記カウンタの前記満了に少なくとも部分的に基づいて、ＵＥの前記１つまたは複数のグループの前記カウンタを停止することと、
第３の送信のためにＵＥの前記１つまたは複数のグループのための前記カウンタの値を保持することと、
をさらに備える、Ｃ３７に記載の方法。
［Ｃ４１］
前記第１のパラメータが、ＰＵＣＣＨ中で受信された干渉インジケーションを備える、Ｃ１に記載の方法。
［Ｃ４２］
キャリアアグリゲーション構成または多地点協調構成に少なくとも部分的に基づいて、前記第１の競合ウィンドウ調整値に前記第１の重み付けファクタを適用すること
をさらに備える、Ｃ１に記載の方法。
［Ｃ４３］
前記第１のパラメータがブロードキャストチャネルに対応するかどうかに少なくとも部分的に基づいて、前記第１の競合ウィンドウ調整値に前記第１の重み付けファクタを適用すること
をさらに備える、Ｃ１に記載の方法。
［Ｃ４４］
前記第１のパラメータが、干渉消去をインプリメントするまたはインプリメントすることが可能なユーザ機器（ＵＥ）に対応するかどうかに少なくとも部分的に基づいて、前記第１の競合ウィンドウ調整値に前記第１の重み付けファクタを適用すること
をさらに備える、Ｃ１に記載の方法。
［Ｃ４５］
前記競合ウィドウサイズが、前記第１のパラメータに対応する１つまたは複数のＤＬ送信機会に続くＤＬ送信機会に対応する、Ｃ１に記載の方法。
［Ｃ４６］
基地局にメッセージを送信することと、
前記基地局から競合ウィンドウサイズを受信することと、ここにおいて、前記競合ウィンドウサイズが、前記メッセージに少なくとも部分的に基づいて、第１の競合ウィンドウ調整値に適用される第１の重み付けファクタを使用して計算される、
前記競合ウィンドウサイズに少なくとも部分的に基づいて、クリアチャネルアセスメントを実行することと、
を備える、ワイヤレス通信のための方法。
［Ｃ４７］
前記基地局に前記メッセージを送信することは、ダウンリンク送信における少なくとも１つのトランスポートブロックが正常に復号されたことを示すビットを送信することを備え、前記競合ウィンドウサイズが、前記送信されたビットに少なくとも部分的に基づく、Ｃ４６に記載の方法。
［Ｃ４８］
前記基地局に前記メッセージを送信することは、ダウンリンク送信における少なくとも１つのコードブロックが正常に復号されたことを示すビットを送信することを備え、前記競合ウィンドウサイズが、前記送信されたビットに少なくとも部分的に基づく、Ｃ４６に記載の方法。
［Ｃ４９］
前記基地局に前記メッセージを送信することが、物理アップリンク共有チャネル（ＰＵＳＣＨ）上でデータを送信することを備える、Ｃ４６に記載の方法。
［Ｃ５０］
ダウンリンク送信中の衝突を検出すること
をさらに備え、
前記基地局に前記メッセージを送信することが、前記衝突を示すビットを送信することを備え、前記競合ウィンドウサイズが、前記送信されたビットに少なくとも部分的に基づく、Ｃ４６に記載の方法。
［Ｃ５１］
プロセッサと、
前記プロセッサと電子通信しているメモリと、
を備える、ワイヤレス通信のための装置であって、
前記プロセッサおよびメモリが、
第１の送信に関連する第１のパラメータを決定することと、
前記第１のパラメータに少なくとも部分的に基づいて、第１の競合ウィンドウ調整値を決定することと、
前記第１の競合ウィンドウ調整値に第１の重み付けファクタを適用することと、
前記重み付けされた第１の競合ウィンドウ調整値に少なくとも部分的に基づいて、第２の送信のための競合ウィンドウサイズを調整することと、
を行うように構成された、装置。
［Ｃ５２］
プロセッサと、
前記プロセッサと電子通信しているメモリと、
を備える、ワイヤレス通信のための装置であって、
前記プロセッサおよびメモリは、
基地局にメッセージを送信することと、
前記基地局から競合ウィンドウサイズを受信することと、ここにおいて、前記競合ウィンドウサイズが、前記メッセージに少なくとも部分的に基づいて、第１の競合ウィンドウ調整値に適用される第１の重み付けファクタを使用して計算される、
前記競合ウィンドウサイズに少なくとも部分的に基づいて、クリアチャネルアセスメントを実行することと、
を行うように構成された、装置。
［Ｃ５３］
第１の送信に関連する第１のパラメータを決定するための手段と、
前記第１のパラメータに少なくとも部分的に基づいて、第１の競合ウィンドウ調整値を決定するための手段と、
前記第１の競合ウィンドウ調整値に第１の重み付けファクタを適用するための手段と、
前記重み付けされた第１の競合ウィンドウ調整値に少なくとも部分的に基づいて、第２の送信のための競合ウィンドウサイズを調整するための手段と、
を備える、ワイヤレス通信のための装置。
［Ｃ５４］
前記競合ウィドウサイズがアップリンク（ＵＬ）送信機会に対応し、前記装置が、
１つまたは複数のキャリア上で前記第１の送信を送信するための手段
をさらに備える、Ｃ５３に記載の装置。
［Ｃ５５］
前記第１のパラメータを決定するための前記手段は、
物理アップリンク制御チャネル（ＰＵＣＣＨ）が正常に復号されたかどうかを決定するための手段
を備える、Ｃ５４に記載の装置。
［Ｃ５６］
各キャリアについてハイブリッド自動再送要求（ＨＡＲＱ）フィードバックを通して否定応答（ＮＡＣＫ）の数を受信するための手段と、
すべてのキャリアについてＮＡＣＫの前記数に少なくとも部分的に基づいて前記第１の競合ウィンドウ調整値を決定するための手段と、
すべてのキャリアについて第２の送信のための前記競合ウィンドウサイズを調整するための手段と、ここにおいて、前記競合ウィンドウサイズがすべてのキャリアについて同じである、
をさらに備える、Ｃ５４に記載の装置。
［Ｃ５７］
前記１つまたは複数のキャリアが、１次キャリアと１つまたは複数の２次キャリアとを備え、前記装置が、
前記１次キャリアに関連するバックオフタイマーを開始するための手段をさらに備え、ここにおいて、前記バックオフタイマーが前記１つまたは複数の２次キャリアに適用される、Ｃ５４に記載の装置。
［Ｃ５８］
前記競合ウィンドウサイズに少なくとも部分的に基づいて、クリアチャネルアセスメントを実行するための手段
をさらに備える、Ｃ５３に記載の装置。
［Ｃ５９］
前記第１の競合ウィンドウ調整値に対応する送信機会に少なくとも部分的に基づいて、前記第１の競合ウィンドウ調整値に前記第１の重み付けファクタを適用するための手段
をさらに備える、Ｃ５３に記載の装置。
［Ｃ６０］
前記第１の競合ウィンドウ調整値に前記第１の重み付けファクタを適用するための前記手段は、
前記対応する送信機会が時間期間外にある前記第１の競合ウィンドウ調整値に、０の第１の重み付けファクタを適用するための手段
を備える、Ｃ５９に記載の装置。
［Ｃ６１］
無限インパルス応答フィルタに少なくとも部分的に基づいて、前記第１の競合ウィンドウ調整値に前記第１の重み付けファクタを適用するための手段
をさらに備える、Ｃ５９に記載の装置。
［Ｃ６２］
前記第１のパラメータに関連するユーザ機器（ＵＥ）に少なくとも部分的に基づいて、前記第１の競合ウィンドウ調整値に前記第１の重み付けファクタを適用するための手段
をさらに備える、Ｃ５３に記載の装置。
［Ｃ６３］
前記第１のパラメータに関連する許可が有効な許可であるかどうかに少なくとも部分的に基づいて、前記第１の競合ウィンドウ調整値に前記第１の重み付けファクタを適用するための手段
をさらに備える、Ｃ５３に記載の装置。
［Ｃ６４］
前記第１の送信のキャリアとは異なるキャリア上で前記第２の送信を送信するための手段と、
前記競合ウィンドウサイズをリセットすることを控えるための手段と、
をさらに備える、Ｃ５３に記載の装置。
［Ｃ６５］
前記第１の送信が１つまたは複数のＵＥに送られ、前記装置が、
前記競合ウィンドウサイズをリセットするための手段
をさらに備える、Ｃ５３に記載の装置。
［Ｃ６６］
前記第１の送信に関連する前記第１のパラメータを決定するための前記手段が、
前記第１の送信に少なくとも部分的に基づいて、前記１つまたは複数のＵＥの各々から少なくとも１つの肯定応答（ＡＣＫ）インジケーションを受信するための手段
をさらに備える、Ｃ６５に記載の装置。
［Ｃ６７］
前記１つまたは複数のＵＥの各々から少なくとも１つのＡＣＫインジケーションを受信するための手段
をさらに備える、Ｃ６５に記載の装置。
［Ｃ６８］
前記競合ウィンドウサイズをリセットするための手段が、前記第２の送信の後の経過持続時間に少なくとも部分的に基づく、
をさらに備える、Ｃ５３に記載の装置。
［Ｃ６９］
前記第１の送信に少なくとも部分的に基づいて、肯定応答（ＡＣＫ）および否定応答（ＮＡＣＫ）インジケーションを受信するための手段と、
前記第１の送信に関連する前記第１のパラメータを決定するための手段と、ここにおいて、前記第１のパラメータが、サポートされるユーザ機器（ＵＥ）の総数に対するＡＣＫの割合を含む、
をさらに備える、Ｃ５３に記載の装置。
［Ｃ７０］
前記第１のパラメータに関連する、送信機会のサイズまたはリソース割振りに少なくとも部分的に基づいて、前記第１の競合ウィンドウ調整値に前記第１の重み付けファクタを適用するための手段
をさらに備える、Ｃ５３に記載の装置。
［Ｃ７１］
前記第１のパラメータに関連するブロックエラーレート（ＢＬＥＲ）ターゲットに少なくとも部分的に基づいて、前記第１の競合ウィンドウ調整値に前記第１の重み付けファクタを適用するための手段
をさらに備える、Ｃ５３に記載の装置。
［Ｃ７２］
前記第１の送信が１つまたは複数のＵＥに送られ、前記装置は、
前記１つまたは複数のＵＥのための前記競合ウィンドウサイズに少なくとも部分的に基づいて、前記１つまたは複数のＵＥをＵＥの１つまたは複数のグループに分割するための手段と、
ＵＥの前記１つまたは複数のグループのためのカウンタをランダムに生成するための手段と、
ＵＥの前記１つまたは複数のグループのための前記カウンタを開始するための手段と、
それらのカウンタが満了したＵＥのグループに前記第２の送信を送信するための手段と、
をさらに備える、Ｃ５３に記載の装置。
［Ｃ７３］
ＵＥの２つまたはそれ以上のグループからＵＥの第１のグループをランダムに選定するための手段と、ここにおいて、ＵＥの前記２つまたはそれ以上のグループの前記カウンタが同じ値である、
ＵＥの前記第１のグループに前記第２の送信を送信するための手段と、
をさらに備える、Ｃ７２に記載の装置。
［Ｃ７４］
前記第２の送信の後に、ＵＥの前記１つまたは複数のグループのための前記カウンタをランダムに再生成するための手段
をさらに備える、Ｃ７２に記載の装置。
［Ｃ７５］
それらのカウンタが満了したＵＥの前記グループのための前記カウンタの前記満了に少なくとも部分的に基づいて、ＵＥの前記１つまたは複数のグループの前記カウンタを停止するための手段と、
第３の送信のためにＵＥの前記１つまたは複数のグループのための前記カウンタの値を保持するための手段と、
をさらに備える、Ｃ７２に記載の装置。
［Ｃ７６］
キャリアアグリゲーション構成または多地点協調構成に少なくとも部分的に基づいて、前記第１の競合ウィンドウ調整値に前記第１の重み付けファクタを適用するための手段
をさらに備える、Ｃ５３に記載の装置。
［Ｃ７７］
前記第１のパラメータがブロードキャストチャネルに対応するかどうかに少なくとも部分的に基づいて、前記第１の競合ウィンドウ調整値に前記第１の重み付けファクタを適用するための手段
をさらに備える、Ｃ５３に記載の装置。
［Ｃ７８］
前記第１のパラメータが、干渉消去をインプリメントするまたはインプリメントすることが可能なユーザ機器（ＵＥ）に対応するかどうかに少なくとも部分的に基づいて、前記第１の競合ウィンドウ調整値に前記第１の重み付けファクタを適用するための手段
をさらに備える、Ｃ５３に記載の装置。
［Ｃ７９］
基地局にメッセージを送信するための手段と、
前記基地局から競合ウィンドウサイズを受信するための手段と、ここにおいて、前記競合ウィンドウサイズが、前記メッセージに少なくとも部分的に基づいて、第１の競合ウィンドウ調整値に適用される第１の重み付けファクタを使用して計算される、
前記競合ウィンドウサイズに少なくとも部分的に基づいて、クリアチャネルアセスメントを実行するための手段と、
を備える、ワイヤレス通信のための装置。
［Ｃ８０］
ワイヤレス通信のためのコンピュータ実行可能コードを記憶する非一時的コンピュータ可読媒体であって、前記コードが、
第１の送信に関連する第１のパラメータを決定することと、
前記第１のパラメータに少なくとも部分的に基づいて、第１の競合ウィンドウ調整値を決定することと、
前記第１の競合ウィンドウ調整値に第１の重み付けファクタを適用することと、
前記重み付けされた第１の競合ウィンドウ調整値に少なくとも部分的に基づいて、第２の送信のための競合ウィンドウサイズを調整することと、
を行うためにプロセッサによって実行可能である、非一時的コンピュータ可読媒体。
［Ｃ８１］
ワイヤレス通信のためのコンピュータ実行可能コードを記憶する非一時的コンピュータ可読媒体であって、前記コードは、
基地局にメッセージを送信することと、
前記基地局から競合ウィンドウサイズを受信することと、ここにおいて、前記競合ウィンドウサイズが、前記メッセージに少なくとも部分的に基づいて、第１の競合ウィンドウ調整値に適用される第１の重み付けファクタを使用して計算される、
前記競合ウィンドウサイズに少なくとも部分的に基づいて、クリアチャネルアセスメントを実行することと、
を行うためにプロセッサによって実行可能である、非一時的コンピュータ可読媒体。
【図１】
0006805178.tif 000004
【図２】
0006805178.tif 000005
【図３】
0006805178.tif 000006
【図４】
0006805178.tif 000007
【図５】
0006805178.tif 000008
【図６】
0006805178.tif 000009
【図７】
0006805178.tif 000010
【図８】
0006805178.tif 000011
【図９】
0006805178.tif 000012
【図１０】
0006805178.tif 000013
【図１１】
0006805178.tif 000014
【図１２】
0006805178.tif 000015
【図１３】
0006805178.tif 000016
【図１４】
0006805178.tif 000017
【図１５】
0006805178.tif 000018
【図１６】
0006805178.tif 000019
【図１７】
0006805178.tif 000020
【図１８】
0006805178.tif 000021
【図１９】
0006805178.tif 000022
【図２０】
0006805178.tif 000023
【図２１】
0006805178.tif 000024